(57)【特許請求の範囲】
【請求項１】
ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、
前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、
前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、を含んで構成され、
前記ＩＰ変換装置は、
前記呼接続信号生成部に呼接続信号の生成指示をする無ダイヤル接続部をさらに備え、
前記第１の記憶部に、前記電話番号がオフフックにより特定のあて先に電話回線をつなぐ必要があるか否かの情報である無ダイヤル接続情報がさらに記憶されており、
前記グループ設定判定部は、前記ＩＰ変換装置に接続されている前記電話機がオフフックした際に、無ダイヤル接続を行うか否かを、前記受信した前記発信元電話番号をキーとして当該第１の記憶部の無ダイヤル接続情報を検索して判定し、
前記無ダイヤル接続部は、前記グループ設定判定部で無ダイヤル接続を行うと判定された場合に、前記呼接続信号生成部に呼接続信号の生成指示をし、
前記呼接続信号生成部は、前記グループ設定判定部が受信した発信元電話番号を取得し、前記取得した発信元電話番号及び、無ダイヤル接続を行うことを示す無ダイヤルパスヘッダを設定したＩＰネットワークの呼接続信号を生成し、
前記アプリケーションサーバは、
前記呼接続信号のあて先電話番号領域に無ダイヤル接続で電話回線を接続する特定のあて先の電話番号である無ダイヤルあて先電話番号を設定する無ダイヤルパス変換部をさらに備え、
前記第２の記憶部に、前記無ダイヤル接続情報及び前記無ダイヤルあて先電話番号がさらに記憶されており、
前記番号判定部は、前記無ダイヤル接続を行うことを示す無ダイヤルパスヘッダが設定されている場合に、無ダイヤル接続を行うか否かを、当該第２の記憶部の無ダイヤル接続情報を検索して判定し、
無ダイヤルパス変換部は、前記番号判定部で無ダイヤル接続を行うと判定された場合に、当該第２の記憶部の無ダイヤルあて先電話番号を検索し、前記検索した無ダイヤル宛先電話番号を呼接続信号のあて先電話番号領域に設定する、
ことを特徴とする電話回線接続システム。
【請求項２】
ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、
前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、
前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、を含んで構成され、
前記ＩＰ変換装置は、
前記呼接続信号生成部に呼接続信号の生成指示をする短縮ダイヤル接続部をさらに備え、
前記第１の記憶部に、前記電話機がオフフック後に短縮ダイヤルを入力することにより特定のあて先に電話回線をつなぐ必要があるか否かの情報である短縮ダイヤル接続情報がさらに記憶されており、
前記グループ設定判定部は、前記ＩＰ変換装置に接続されている前記電話機がオフフックした際に、短縮ダイヤル接続を行うか否かを、前記受信した前記発信元電話番号をキーとして当該第１の記憶部の短縮ダイヤル接続情報を検索して判定し、
前記短縮ダイヤル接続部は、前記グループ設定判定部で短縮ダイヤル接続を行うと判定された場合に、前記短縮ダイヤルの入力を許容することを知らせる短縮ダイヤル接続許容信号を送信し、入力された短縮ダイヤルを受信すると、前記呼接続信号生成部に、呼接続信号の生成指示し、
前記呼接続信号生成部は、前記グループ設定判定部で受信した発信元電話番号を取得し、前記取得した発信元電話番号及び、短縮ダイヤル接続を行うことを示す短縮ダイヤルパスヘッダを設定したＩＰネットワークの呼接続信号を生成し、
前記アプリケーションサーバは、
前記呼接続信号のあて先電話番号領域に前記短縮ダイヤル接続で電話回線を接続する特定のあて先の電話番号である短縮ダイヤルあて先電話番号を設定する短縮ダイヤルパス変換部をさらに備え、
前記第２の記憶部に、前記短縮ダイヤル接続情報及び前記短縮ダイヤルあて先電話番号がさらに記憶されており、
前記番号判定部は、前記短縮ダイヤル接続を行うことを示す短縮ダイヤルパスヘッダが設定されている場合に、前記短縮ダイヤル接続を行うか否かを、当該第２の記憶部の短縮ダイヤル接続情報を検索して判定し、
前記短縮ダイヤルパス変換部は、前記番号判定部で短縮ダイヤル接続を行うと判定された場合に、当該第２の記憶部の短縮ダイヤルあて先電話番号を検索し、前記検索した短縮ダイヤルあて先電話番号を呼接続信号のあて先電話番号領域に設定する、
ことを特徴とする電話回線接続システム。
【請求項３】
ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、
前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、
前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、
パスワードの入力を促すガイダンスであるパスワード許容信号を送信する発側ガイダンス生成部を備えるメディアサーバと、を含んで構成され、
前記アプリケーションサーバは、
前記メディアサーバの前記ガイダンス生成部にパスワード許容信号の送信を指示する発側スクリーニング部をさらに備え、
前記第２の記憶部に、前記電話番号に応じてパスワードの入力を求めるか否かの情報である発側スクリーニング情報がさらに記憶されており、
前記発側スクリーニング部は、前記ＩＰ変換装置から受信した前記呼接続信号に設定されるあて先電話番号をキーとして、当該第２の記憶部の前記発側スクリーニング情報を検索し、前記検索した発側スクリーニング情報に基づいてパスワードの入力を求めるか否かを判定し、パスワードの入力を求める場合に、前記メディアサーバの前記ガイダンス生成部にパスワード許容信号の送信を指示する、
ことを特徴とする電話回線接続システム。
【請求項４】
ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、
前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、
前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、
パスワードの入力を促すガイダンスであるパスワード許容信号を送信する着側ガイダンス生成部を備える他のメディアサーバと、
前記電話番号に応じてパスワードの入力を求めるか否かの情報である着側スクリーニング情報を記憶する第３の記憶部と、前記他のメディアサーバの前記ガイダンス生成部にパスワード許容信号の送信を指示する着側スクリーニング部と、を備える他のアプリケーションサーバと、を含んで構成され、
前記着側スクリーニング部は、前記アプリケーションサーバから受信した前記呼接続信号に設定されるあて先電話番号をキーとして、当該第３の記憶部から前記着側スクリーニング情報を検索し、前記検索した着側スクリーニング情報に基づいてパスワードの入力を求めるか否かを判定し、パスワードの入力を求める場合に、前記他のメディアサーバの前記ガイダンス生成部にパスワード許容信号の送信を指示する、
ことを特徴とする電話回線接続システム。
【請求項５】
前記アプリケーションサーバは、
発信先を制限する発信先制限情報に基づいて電話回線の接続を許容するか否かを判定する発側接続条件ＣＨＫ部をさらに備え、
前記第２の記憶部に、前記グループに属する電話番号からの発信先を制限する発信先制限情報がさらに記憶され、
前記発側接続条件ＣＨＫ部は、前記呼接続信号に設定されている発信元電話番号をキーとして、前記第２の記憶部から前記発信元電話番号に対応する前記発信先制限情報を検索し、当該発信先制限情報に基づいて電話回線の接続を許容するか否かを判定し、前記電話回線の接続を許容する場合に、前記内線番号変換部または前記外線番号変換部に番号の変換指示をする、
ことを特徴とする請求項１ないし請求項４の何れか１項に記載の電話回線接続システム。
【請求項６】
前記他のアプリケーションサーバは、
前記第３の記憶部に、前記グループを識別するためのグループ識別情報ごとに、前記グループに属する電話番号及び前記グループに属する電話番号への発信元を制限する発信元制限情報がさらに記憶され、
前記アプリケーションサーバから呼接続信号を受信し、当該受信した呼接続信号をさらに前記他の電話機に転送する呼制御部と、前記呼接続信号に設定されているあて先電話番号をキーとして、前記第３の記憶部から前記あて先電話番号に対応する前記発信元制限情報を検索し、当該発信元制限情報に基づいて電話回線の接続を許容するか否かを判定し、電話回線の接続を許容する場合に、前記呼制御部に呼接続信号の転送指示をする着側接続条件ＣＨＫ部と、を備える、
ことを特徴とする請求項４に記載の電話回線接続システム。
【請求項７】
ＩＰネットワーク内のＩＰ変換装置と、呼制御サーバと、アプリケーションサーバが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムに用いられる電話回線接続方法であって、
前記ＩＰ変換装置は、
前記グループに属する発信元電話番号を記憶する第１の記憶部を備え、
当該ＩＰ変換装置に接続されている前記電話機がオフフックした際に、前記電話機の発信元電話番号を受信し、受信した当該発信元電話番号が前記グループに属するか否かを前記第１の記憶部を検索して判定し、
当該発信元電話番号が前記グループに属すると判定した場合に、あて先内線番号の入力を許容することを知らせる内線接続許容信号を当該電話機に送信し、入力されたあて先内線番号を当該電話機から受信し、
前記内線接続許容信号を送信した後、外線番号への発信であることを示す識別番号を受信した場合には、あて先外線番号の入力を許容することを知らせる外線接続許容信号を当該電話機に送信し、入力されたあて先外線番号を当該電話機から受信し、
当該電話機から受信した発信元電話番号を発信元電話番号領域に設定し、受信した当該あて先内線番号または受信した当該識別番号及び当該あて先外線番号をあて先電話番号領域に設定した前記ＩＰネットワークの呼接続信号を生成し、前記呼制御サーバを介して前記アプリケーションサーバに送信し、
前記アプリケーションサーバは、
前記グループを識別するためのグループ識別情報ごとに、前記グループに属する電話番号及び前記電話番号の内線番号を記憶する第２の記憶部を備え、
前記ＩＰ変換装置から受信した前記呼接続信号のあて先電話番号領域に前記識別番号が設定されているか否かを参照することで、当該呼接続信号に設定されているのが内線番号か外線番号かを判定し、
前記ＩＰ変換装置から受信した当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定し、
当該呼接続信号のあて先電話番号領域に外線番号が設定されている場合に、前記識別番号を外して、前記外線番号を当該呼接続信号のあて先電話番号領域に設定し、
電話番号を設定した呼接続信号を、前記呼制御サーバを介して前記他の電話機に送信し、
また、前記ＩＰ変換装置は、
前記第１の記憶部に、前記電話番号がオフフックにより特定のあて先に電話回線をつなぐ必要があるか否かの情報である無ダイヤル接続情報がさらに記憶されており、
前記ＩＰ変換装置に接続されている前記電話機がオフフックした際に、無ダイヤル接続を行うか否かを、前記受信した前記発信元電話番号をキーとして当該第１の記憶部の無ダイヤル接続情報を検索して判定し、
前記グループ設定判定部で無ダイヤル接続を行うと判定された場合に、前記受信した発信元電話番号及び、無ダイヤル接続を行うことを示す無ダイヤルパスヘッダを設定したＩＰネットワークの呼接続信号を生成し、
前記アプリケーションサーバは、
前記第２の記憶部に、前記無ダイヤル接続情報及び前記無ダイヤルあて先電話番号がさらに記憶されており、
前記無ダイヤル接続を行うことを示す無ダイヤルパスヘッダが設定されている場合に、無ダイヤル接続を行うか否かを、当該第２の記憶部の無ダイヤル接続情報を検索して判定し、
前記無ダイヤル接続を行うと判定された場合に、当該第２の記憶部の無ダイヤルあて先電話番号を検索し、前記検索した無ダイヤル宛先電話番号を呼接続信号のあて先電話番号領域に設定する、
ことを特徴とする電話回線接続方法。
【請求項８】
ＩＰネットワーク内のＩＰ変換装置と、呼制御サーバと、アプリケーションサーバが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムに用いられる電話回線接続方法であって、
前記ＩＰ変換装置は、
前記グループに属する発信元電話番号を記憶する第１の記憶部を備え、
当該ＩＰ変換装置に接続されている前記電話機がオフフックした際に、前記電話機の発信元電話番号を受信し、受信した当該発信元電話番号が前記グループに属するか否かを前記第１の記憶部を検索して判定し、
当該発信元電話番号が前記グループに属すると判定した場合に、あて先内線番号の入力を許容することを知らせる内線接続許容信号を当該電話機に送信し、入力されたあて先内線番号を当該電話機から受信し、
前記内線接続許容信号を送信した後、外線番号への発信であることを示す識別番号を受信した場合には、あて先外線番号の入力を許容することを知らせる外線接続許容信号を当該電話機に送信し、入力されたあて先外線番号を当該電話機から受信し、
当該電話機から受信した発信元電話番号を発信元電話番号領域に設定し、受信した当該あて先内線番号または受信した当該識別番号及び当該あて先外線番号をあて先電話番号領域に設定した前記ＩＰネットワークの呼接続信号を生成し、前記呼制御サーバを介して前記アプリケーションサーバに送信し、
前記アプリケーションサーバは、
前記グループを識別するためのグループ識別情報ごとに、前記グループに属する電話番号及び前記電話番号の内線番号を記憶する第２の記憶部を備え、
前記ＩＰ変換装置から受信した前記呼接続信号のあて先電話番号領域に前記識別番号が設定されているか否かを参照することで、当該呼接続信号に設定されているのが内線番号か外線番号かを判定し、
前記ＩＰ変換装置から受信した当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定し、
当該呼接続信号のあて先電話番号領域に外線番号が設定されている場合に、前記識別番号を外して、前記外線番号を当該呼接続信号のあて先電話番号領域に設定し、
電話番号を設定した呼接続信号を、前記呼制御サーバを介して前記他の電話機に送信し、
また、前記ＩＰ変換装置は、
前記第１の記憶部に、前記電話機がオフフック後に短縮ダイヤルを入力することにより特定のあて先に電話回線をつなぐ必要があるか否かの情報である短縮ダイヤル接続情報がさらに記憶されており、
前記ＩＰ変換装置に接続されている前記電話機がオフフックした際に、短縮ダイヤル接続を行うか否かを、前記受信した前記発信元電話番号をキーとして当該第１の記憶部の短縮ダイヤル接続情報を検索して判定し、
前記グループ設定判定部で短縮ダイヤル接続を行うと判定された場合に、前記短縮ダイヤルの入力を許容することを知らせる短縮ダイヤル接続許容信号を送信し、
入力された短縮ダイヤルを受信すると、前記受信した発信元電話番号及び、短縮ダイヤル接続を行うことを示す短縮ダイヤルパスヘッダを設定したＩＰネットワークの呼接続信号を生成し、
前記アプリケーションサーバは、
前記第２の記憶部に、前記短縮ダイヤル接続情報及び前記短縮ダイヤルあて先電話番号がさらに記憶されており、
前記短縮ダイヤル接続を行うことを示す短縮ダイヤルパスヘッダが設定されている場合に、前記短縮ダイヤル接続を行うか否かを、当該第２の記憶部の短縮ダイヤル接続情報を検索して判定し、
前記短縮ダイヤル接続を行うと判定された場合に、当該第２の記憶部の短縮ダイヤルあて先電話番号を検索し、前記検索した短縮ダイヤルあて先電話番号を呼接続信号のあて先電話番号領域に設定する、
ことを特徴とする電話回線接続方法。
【請求項９】
ＩＰネットワーク内のＩＰ変換装置と、呼制御サーバと、アプリケーションサーバが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムに用いられる電話回線接続方法であって、
前記ＩＰ変換装置は、
前記グループに属する発信元電話番号を記憶する第１の記憶部を備え、
当該ＩＰ変換装置に接続されている前記電話機がオフフックした際に、前記電話機の発信元電話番号を受信し、受信した当該発信元電話番号が前記グループに属するか否かを前記第１の記憶部を検索して判定し、
当該発信元電話番号が前記グループに属すると判定した場合に、あて先内線番号の入力を許容することを知らせる内線接続許容信号を当該電話機に送信し、入力されたあて先内線番号を当該電話機から受信し、
前記内線接続許容信号を送信した後、外線番号への発信であることを示す識別番号を受信した場合には、あて先外線番号の入力を許容することを知らせる外線接続許容信号を当該電話機に送信し、入力されたあて先外線番号を当該電話機から受信し、
当該電話機から受信した発信元電話番号を発信元電話番号領域に設定し、受信した当該あて先内線番号または受信した当該識別番号及び当該あて先外線番号をあて先電話番号領域に設定した前記ＩＰネットワークの呼接続信号を生成し、前記呼制御サーバを介して前記アプリケーションサーバに送信し、
前記アプリケーションサーバは、
前記グループを識別するためのグループ識別情報ごとに、前記グループに属する電話番号及び前記電話番号の内線番号、並びに前記電話番号に応じてパスワードの入力を求めるか否かの情報である発側スクリーニング情報を記憶する第２の記憶部を備え、
前記ＩＰ変換装置から受信した前記呼接続信号に設定されるあて先電話番号をキーとして、当該第２の記憶部の前記発側スクリーニング情報を検索し、前記検索した発側スクリーニング情報に基づいてパスワードの入力を求めるか否かを判定し、パスワードの入力を求める場合に、パスワードの入力を促すガイダンスであるパスワード許容信号を送信するメディアサーバにパスワード許容信号の送信を指示し、
前記パスワードの認証が完了した場合に、前記ＩＰ変換装置から受信した前記呼接続信号のあて先電話番号領域に前記識別番号が設定されているか否かを参照することで、当該呼接続信号に設定されているのが内線番号か外線番号かを判定し、
前記ＩＰ変換装置から受信した当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定し、
当該呼接続信号のあて先電話番号領域に外線番号が設定されている場合に、前記識別番号を外して、前記外線番号を当該呼接続信号のあて先電話番号領域に設定し、
電話番号を設定した呼接続信号を、前記呼制御サーバを介して前記他の電話機に送信する、
ことを特徴とする電話回線接続方法。
【請求項１０】
ＩＰネットワーク内のＩＰ変換装置と、呼制御サーバと、アプリケーションサーバが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムに用いられる電話回線接続方法であって、
前記ＩＰ変換装置は、
前記グループに属する発信元電話番号を記憶する第１の記憶部を備え、
当該ＩＰ変換装置に接続されている前記電話機がオフフックした際に、前記電話機の発信元電話番号を受信し、受信した当該発信元電話番号が前記グループに属するか否かを前記第１の記憶部を検索して判定し、
当該発信元電話番号が前記グループに属すると判定した場合に、あて先内線番号の入力を許容することを知らせる内線接続許容信号を当該電話機に送信し、入力されたあて先内線番号を当該電話機から受信し、
前記内線接続許容信号を送信した後、外線番号への発信であることを示す識別番号を受信した場合には、あて先外線番号の入力を許容することを知らせる外線接続許容信号を当該電話機に送信し、入力されたあて先外線番号を当該電話機から受信し、
当該電話機から受信した発信元電話番号を発信元電話番号領域に設定し、受信した当該あて先内線番号または受信した当該識別番号及び当該あて先外線番号をあて先電話番号領域に設定した前記ＩＰネットワークの呼接続信号を生成し、前記呼制御サーバを介して前記アプリケーションサーバに送信し、
前記アプリケーションサーバは、
前記グループを識別するためのグループ識別情報ごとに、前記グループに属する電話番号及び前記電話番号の内線番号を記憶する第２の記憶部を備え、
前記ＩＰ変換装置から受信した前記呼接続信号のあて先電話番号領域に前記識別番号が設定されているか否かを参照することで、当該呼接続信号に設定されているのが内線番号か外線番号かを判定し、
前記ＩＰ変換装置から受信した当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定し、
当該呼接続信号のあて先電話番号領域に外線番号が設定されている場合に、前記識別番号を外して、前記外線番号を当該呼接続信号のあて先電話番号領域に設定し、
電話番号を設定した呼接続信号を、前記呼制御サーバを介して前記他の電話機に送信し、
前記アプリケーションサーバ以外の他のアプリケーションサーバは、
前記電話番号に応じてパスワードの入力を求めるか否かの情報である着側スクリーニング情報を記憶する第３の記憶部を備え、
前記アプリケーションサーバから受信した前記呼接続信号に設定されるあて先電話番号をキーとして、当該第３の記憶部から前記着側スクリーニング情報を検索し、前記検索した着側スクリーニング情報に基づいてパスワードの入力を求めるか否かを判定し、パスワードの入力を求める場合に、パスワードの入力を促すガイダンスであるパスワード許容信号を送信する他のメディアサーバにパスワード許容信号の送信を指示する、
ことを特徴とする電話回線接続方法。
【請求項１１】
請求項７ないし請求項１０の何れか１項に記載の電話回線接続方法を前記ＩＰ変換装置、前記呼制御サーバ、前記アプリケーションサーバ、又は前記他のアプリケーションサーバに実行させるためのプログラム。
【発明の詳細な説明】
【技術分野】
【０００１】
本発明は、電話回線接続システム、電話回線接続方法、及びプログラムに関する。
【背景技術】
【０００２】
電話サービスの一つであるメンバーズネットサービスは、公衆網を利用して複数の加入者をグループナンバー（ＧＮ）毎に識別し、そのグループナンバー（ＧＮ）毎に指定されたユーザ間の呼を、国内の電話番号（以下、「０Ａ〜Ｊの電話番号」と呼ぶときがある）とは別に先頭文字が「０」及び「１」を除く１〜１１桁の内線番号で接続可能な内線接続（オンネット接続）と、国内の電話番号による一般電話網接続（オフネット接続）と、を可能とする。
【０００３】
メンバーズネットサービスは、アナログ電話回線又はＩＳＤＮ電話回線を利用して、仮想専用線（Virtual Private Network）と呼ばれる専用線のようなネットワークを構築できることを特徴とする。
【０００４】
図２９は、メンバーズネットサービスにおける電話回線の接続手順を示す図である。以下、図２９を参照して、メンバーズネットサービスにおける電話回線の接続手順を説明する。
【０００５】
最初に、発側のメンバーズネットサービス加入者端末２Ａから同一グループナンバを持つ着側の加入者端末２Ｂへ、内線番号をダイヤル（オンネット接続）または０＋「０Ａ〜Ｊ」の電話番号をダイヤル（オフネット接続）する(ステップＳ７０１)。次に、発側の交換機（ＧＣ）１８がメンバーズネット加入者からの発信であることを認識すると、網サービス制御局（ＮＳＰ）１９へ問い合わせを行う（ステップＳ７０２）。
【０００６】
次に、ＮＳＰ１９は、（１）オンネット接続の場合、内線番号を「０Ａ〜Ｊ」の電話番号に変換し、接続条件及び着加入者条件をチェックし、発側の交換機（ＧＣ）１８に電話回線の接続指示を行い、（２）オフネット接続の場合、接続条件をチェックし、「０Ａ〜Ｊ」の電話番号にて接続指示を行う（ステップＳ７０３）。なお、前記（１）または（２）の接続条件若しくは着加入者条件で、接続が許容できない場合は、ＮＳＰ１９は、接続非許容のトーキ接続を発側の交換機に指示し、発側の交換機１８のガイダンス通知機能（ＡＲＥ）は、発側のメンバーズネットサービス加入者端末に接続非許容トーキを送出する。
【０００７】
次に、発側の交換機（ＧＣ）１８は、ＮＳＰ１９からの指示に基づき「０Ａ〜Ｊ」の電話番号にてルーティングを行う（ステップＳ７０４）。次に、着側の交換機（ＧＣ）１８は、オンネット接続、オフネット接続のどちらかであるかを識別し、着側のメンバーズネットサービス加入者端末２Ｂ（着信端末）に着信接続を行う（ステップＳ７０５）。これにより、メンバーズネットサービスを用いた電話回線の接続が実現し、通話が可能となる。以上で、メンバーズネットサービスにおける電話回線の接続手順の説明を終了する。
【先行技術文献】
【非特許文献】
【０００８】
【非特許文献１】“メンバーズネット”、[online]、エヌ・ティ・ティ・コミュニケーションズ株式会社、[平成２１年１２月１１日検索]、インターネット、＜http://www.ntt.com/members/＞
【発明の概要】
【発明が解決しようとする課題】
【０００９】
前記したように、従来のメンバーズネットサービスは、ＰＳＴＮ網（レガシーネットワーク）を対象としたサービスで、共通線信号網を用いて実現しており、ＩＰネットワーク（以下、「ＩＰ網」と呼ぶときがある）で実現されるものではない。すなわち、ＰＳＴＮの既存技術を用いてＩＰ網にメンバーズネットサービスを実現しようとした場合、メンバーズネットサービス加入者端末の識別、ダイヤル受信、アプリケーションサーバ（以下、「ＡＳ」と呼ぶときがある）との接続、発信側での接続条件、発信／着信サービスクラスのチェック、内線番号と０Ａ〜Ｊの電話番号との変換、音声ガイダンスの送出、パスワード等の数字情報の送受信を行う仕組みがない。そのため、メンバーズネットサービスをＩＰ網で実現することができない。
【００１０】
本発明は、前記問題に鑑みてなされたものであり、ＩＰ網で内線接続及び一般電話網接続の両方を実現することができる、電話回線接続システム、電話回線接続方法、及びプログラムを提供することを目的とする。
【課題を解決するための手段】
【００１１】
前記課題を解決するために、本発明に係る電話回線接続システムは、ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、を含んで構成され、前記ＩＰ変換装置は、前記呼接続信号生成部に呼接続信号の生成指示をする無ダイヤル接続部をさらに備え、前記第１の記憶部に、前記電話番号がオフフックにより特定のあて先に電話回線をつなぐ必要があるか否かの情報である無ダイヤル接続情報がさらに記憶されており、前記グループ設定��定部は、前記ＩＰ変換装置に接続されている前記電話機がオフフックした際に、無ダイヤル接続を行うか否かを、前記受信した前記発信元電話番号をキーとして当該第１の記憶部の無ダイヤル接続情報を検索して判定し、前記無ダイヤル接続部は、前記グループ設定判定部で無ダイヤル接続を行うと判定された場合に、前記呼接続信号生成部に呼接続信号の生成指示をし、前記呼接続信号生成部は、前記グループ設定判定部が受信した発信元電話番号を取得し、前記取得した発信元電話番号及び、無ダイヤル接続を行うことを示す無ダイヤルパスヘッダを設定したＩＰネットワークの呼接続信号を生成し、前記アプリケーションサーバは、前記呼接続信号のあて先電話番号領域に無ダイヤル接続で電話回線を接続する特定のあて先の電話番号である無ダイヤルあて先電話番号を設定する無ダイヤルパス変換部をさらに備え、前記第２の記憶部に、前記無ダイヤル接続情報及び前記無ダイヤルあて先電話番号がさらに記憶されており、前記番号判定部は、前記無ダイヤル接続を行うことを示す無ダイヤルパスヘッダが設定されている場合に、無ダイヤル接続を行うか否かを、当該第２の記憶部の無ダイヤル接続情報を検索して判定し、無ダイヤルパス変換部は、前記番号判定部で無ダイヤル接続を行うと判定された場合に、当該第２の記憶部の無ダイヤルあて先電話番号を検索し、前記検索した無ダイヤル宛先電話番号を呼接続信号のあて先電話番号領域に設定することを特徴とする。
【００１２】
また、本発明に係る電話回線接続方法は、ＩＰネットワーク内のＩＰ変換装置と、呼制御サーバと、アプリケーションサーバが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムに用いられる電話回線接続方法であって、前記ＩＰ変換装置は、前記グループに属する発信元電話番号を記憶する第１の記憶部を備え、当該ＩＰ変換装置に接続されている前記電話機がオフフックした際に、前記電話機の発信元電話番号を受信し、受信した当該発信元電話番号が前記グループに属するか否かを前記第1の記憶部を検索して判定し、当該発信元電話番号が前記グループに属すると判定した場合に、あて先内線番号の入力を許容することを知らせる内線接続許容信号を当該電話機に送信し、入力されたあて先内線番号を当該電話機から受信し、前記内線接続許容信号を送信した後、外線番号への発信であることを示す識別番号を受信した場合には、あて先外線番号の入力を許容することを知らせる外線接続許容信号を当該電話機に送信し、入力されたあて先外線番号を当該電話機から受信し、当該電話機から受信した発信元電話番号を発信元電話番号領域に設定し、受信した当該あて先内線番号または受信した当該識別番号及び当該あて先外線番号をあて先電話番号領域に設定した前記ＩＰネットワークの呼接続信号を生成し、前記呼制御サーバを介して前記アプリケーションサーバに送信し、前記アプリケーションサーバは、前記グループを識別するためのグループ識別情報ごとに、前記グループに属する電話番号及び前記電話番号の内線番号を記憶する第２の記憶部を備え、前記ＩＰ変換装置から受信した前記呼接続信号のあて先電話番号領域に前記識別番号が設定されているか否かを参照することで、当該呼接続信号に設定されているのが内線番号か外線番号かを判定し、前記ＩＰ変換装置から受信した当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定し、当該呼接続信号のあて先電話番号領域に外線番号が設定されている場合に、前記識別番号を外して、前記外線番号を当該呼接続信号のあて先電話番号領域に設定し、電話番号を設定した呼接続信号を、前記呼制御サーバを介して前記他の電話機に送信し、また、前記ＩＰ変換装置は、前記第１の記憶部に、前記電話番号がオフフックにより特定のあて先に電話回線をつなぐ必要があるか否かの情報である無ダイヤル接続情報がさらに記憶されており、前記ＩＰ変換装置に接続されている前記電話機がオフフックした際に、無ダイヤル接続を行うか否かを、前記受信した前記発信元電話番号をキーとして当該第１の記憶部の無ダイヤル接続情報を検索して判定し、前記グループ設定判定部で無ダイヤル接続を行うと判定された場合に、前記受信した発信元電話番号及び、無ダイヤル接続を行うことを示す無ダイヤル��スヘッダを設定したＩＰネットワークの呼接続信号を生成し、前記アプリケーションサーバは、前記第２の記憶部に、前記無ダイヤル接続情報及び前記無ダイヤルあて先電話番号がさらに記憶されており、前記無ダイヤル接続を行うことを示す無ダイヤルパスヘッダが設定されている場合に、無ダイヤル接続を行うか否かを、当該第２の記憶部の無ダイヤル接続情報を検索して判定し、前記無ダイヤル接続を行うと判定された場合に、当該第２の記憶部の無ダイヤルあて先電話番号を検索し、前記検索した無ダイヤル宛先電話番号を呼接続信号のあて先電話番号領域に設定することを特徴とする。
【００１３】
このようにすることで、ＩＰ変換装置は、内線番号の入力を許容することを知らせる内線接続許容信号を送信し、あて先内線番号を受信し、または外線番号の入力を許容することを知らせる外線接続許容信号を送信し、あて先外線番号を受信し、次に、受信したあて先内線番号またはあて先外線番号を設定したＩＰ網の呼接続信号を生成し、呼接続信号をアプリケーションサーバに送信し、アプリケーションサーバは、受信した呼接続信号のあて先内線番号とあて先外線番号を「０Ａ〜Ｊ」の電話番号に変換することができる。よって、本発明に係る電話回線接続システム及び電話回線接続方法によれば、ＩＰ網で内線接続及び一般電話網接続の両方を実現することができる。
また、このようにすることで、アプリケーションサーバは、無ダイヤルでも、第２の記憶部から特定の電話番号を検索し、電話回線を接続することができる。よって、本発明に係る電話回線接続システム及び電話回線接続方法によれば、番号を入力せずに電話回線を接続することができる。
【００１４】
また、本発明に係る電話回線接続システムは、前記アプリケーションサーバは、発信先を制限する発信先制限情報に基づいて電話回線の接続を許容するか否かを判定する発側接続条件ＣＨＫ部をさらに備え、前記第２の記憶部には、前記グループに属する電話番号からの発信先を制限する発信先制限情報がさらに記憶され、前記発側接続条件ＣＨＫ部は、前記呼接続信号に設定されている発信元電話番号をキーとして、前記第２の記憶部から前記発信元電話番号に対応する前記発信先制限情報を検索し、当該発信先制限情報に基づいて電話回線の接続を許容するか否かを判定し、前記電話回線の接続を許容する場合に、前記内線番号変換部または前記外線番号変換部に番号の変換指示をする、ことを特徴とする。
【００１５】
このようにすることで、アプリケーションサーバは、発信元電話番号をキーとして第２の記憶部から発信先制限情報を検索し、発信先制限情報に基づいて電話回線の接続を許容するか否かを判定することができる。よって、本発明に係る電話回線接続システムによれば、電話回線の接続を電話番号単位で許容することができる。
【００１６】
また、本発明に係る電話回線接続システムは、前記ＩＰネットワークは、他のアプリケーションサーバをさらに含んで構成され、前記他のアプリケーションサーバは、前記グループを識別するためのグループ識別情報ごとに、前記グループに属する電話番号及び前記グループに属する電話番号への発信元を制限する発信元制限情報を記憶する第３の記憶部と、前記アプリケーションサーバから呼接続信号を受信し、当該受信した呼接続信号をさらに前記他の電話機に転送する呼制御部と、前記呼接続信号に設定されているあて先電話番号をキーとして、前記第３の記憶部から前記あて先電話番号に対応する前記発信元制限情報を検索し、当該発信元制限情報に基づいて電話回線の接続を許容するか否かを判定し、電話回線の接続を許容する場合に、前記呼制御部に呼接続信号の転送指示をする着側接続条件ＣＨＫ部と、を備える、ことを特徴とする。
【００１７】
このようにすることで、他のアプリケーションサーバは、あて先電話番号をキーとして第３の記憶部から発信元制限情報を検索し、発信元制限情報に基づいて電話回線の接続を許容するか否かを判定することができる。よって、本発明に係る電話回線接続システムによれば、電話回線の接続を電話番号単位で許容することができる。
【００２０】
また、本発明に係る電話回線接続システム（電話回線接続方法）は、ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、を含んで構成され、前記ＩＰ変換装置は、前記呼接続信号生成部に呼接続信号の生成指示をする短縮ダイヤル接続部をさらに備え、前記第１の記憶部に、前記電話機がオフフック後に短縮ダイヤルを入力することにより特定のあて先に電話回線をつなぐ必要があるか否かの情報である短縮ダイヤル接続情報がさらに��憶されており、前記グループ設定判定部は、前記ＩＰ変換装置に接続されている前記電話機がオフフックした際に、短縮ダイヤル接続を行うか否かを、前記受信した前記発信元電話番号をキーとして当該第１の記憶部の短縮ダイヤル接続情報を検索して判定し、前記短縮ダイヤル接続部は、前記グループ設定判定部で短縮ダイヤル接続を行うと判定された場合に、前記短縮ダイヤルの入力を許容することを知らせる短縮ダイヤル接続許容信号を送信し、入力された短縮ダイヤルを受信すると、前記呼接続信号生成部に、呼接続信号の生成指示し、前記呼接続信号生成部は、前記グループ設定判定部で受信した発信元電話番号を取得し、前記取得した発信元電話番号及び、短縮ダイヤル接続を行うことを示す短縮ダイヤルパスヘッダを設定したＩＰネットワークの呼接続信号を生成し、前記アプリケーションサーバは、前記呼接続信号のあて先電話番号領域に前記短縮ダイヤル接続で電話回線を接続する特定のあて先の電話番号である短縮ダイヤルあて先電話番号を設定する短縮ダイヤルパス変換部をさらに備え、前記第２の記憶部に、前記短縮ダイヤル接続情報及び前記短縮ダイヤルあて先電話番号がさらに記憶されており、前記番号判定部は、前記短縮ダイヤル接続を行うことを示す短縮ダイヤルパスヘッダが設定されている場合に、前記短縮ダイヤル接続を行うか否かを、当該第２の記憶部の短縮ダイヤル接続情報を検索して判定し、前記短縮ダイヤルパス変換部は、前記番号判定部で短縮ダイヤル接続を行うと判定された場合に、当該第２の記憶部の短縮ダイヤルあて先電話番号を検索し、前記検索した短縮ダイヤルあて先電話番号を呼接続信号のあて先電話番号領域に設定する、ことを特徴とする。
【００２１】
このようにすることで、ＩＰ変換装置は、内線番号の入力を許容することを知らせる内線接続許容信号を送信し、あて先内線番号を受信し、または外線番号の入力を許容することを知らせる外線接続許容信号を送信し、あて先外線番号を受信し、次に、受信したあて先内線番号またはあて先外線番号を設定したＩＰ網の呼接続信号を生成し、呼接続信号をアプリケーションサーバに送信し、アプリケーションサーバは、受信した呼接続信号のあて先内線番号とあて先外線番号を「０Ａ〜Ｊ」の電話番号に変換することができる。よって、本発明に係る電話回線接続システム及び電話回線接続方法によれば、ＩＰ網で内線接続及び一般電話網接続の両方を実現することができる。
また、このようにすることで、アプリケーションサーバは、短縮ダイヤルでも、第２の記憶部から特定の電話番号を検索し、電話回線を接続することができる。よって、本発明に係る電話回線接続システム及び電話回線接続方法によれば、内線番号よりも簡易な番号の入力で電話回線を接続することができる。
【００２２】
また、本発明に係る電話回線接続システム（電話回線接続方法）は、ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、パスワードの入力を促すガイダンスであるパスワード許容信号を送信する発側ガイダンス生成部を備えるメディアサーバと、を含んで構成され、前記アプリケーションサーバは、前記メディアサーバの前記ガイダンス生成部にパスワード許容信号の送信を指示する発側スクリーニング部をさらに備え、前記第２の記��部に、前記電話番号に応じてパスワードの入力を求めるか否かの情報である発側スクリーニング情報がさらに記憶されており、前記発側スクリーニング部は、前記ＩＰ変換装置から受信した前記呼接続信号に設定されるあて先電話番号をキーとして、当該第２の記憶部の前記発側スクリーニング情報を検索し、前記検索した発側スクリーニング情報に基づいてパスワードの入力を求めるか否かを判定し、パスワードの入力を求める場合に、前記メディアサーバの前記ガイダンス生成部にパスワード許容信号の送信を指示する、ことを特徴とする。
【００２３】
このようにすることで、ＩＰ変換装置は、内線番号の入力を許容することを知らせる内線接続許容信号を送信し、あて先内線番号を受信し、または外線番号の入力を許容することを知らせる外線接続許容信号を送信し、あて先外線番号を受信し、次に、受信したあて先内線番号またはあて先外線番号を設定したＩＰ網の呼接続信号を生成し、呼接続信号をアプリケーションサーバに送信し、アプリケーションサーバは、受信した呼接続信号のあて先内線番号とあて先外線番号を「０Ａ〜Ｊ」の電話番号に変換することができる。よって、本発明に係る電話回線接続システム及び電話回線接続方法によれば、ＩＰ網で内線接続及び一般電話網接続の両方を実現することができる。
また、このようにすることで、アプリケーションサーバは、発信元電話機を介して発信者にパスワードの入力を求めることができる。よって、本発明に係る電話回線接続システム及び電話回線接続方法によれば、電話回線の接続を利用者単位で許容することができる。
【００２４】
また、本発明に係る電話回線接続システム（電話回線接続方法）は、ＩＰネットワーク内のＩＰ変換装置と、呼制御サーバと、アプリケーションサーバとが互いに電話番号、または複数の前記電話番号を１つのグループとし、前記グループ内で識別可能な内線番号を含んだデータを通信することで、前記ＩＰネットワークに接続される電話機から他の電話機への通話を可能にする電話回線接続システムであって、前記グループに属する発信元電話番号を記憶する第１の記憶部と、当該ＩＰ変換装置に接続されている前記電話機がオフフックした際に、前記電話機の発信元電話番号を受信し、受信した当該発信元電話番号が前記グループに属するか否かを前記第1の記憶部を検索して判定するグループ設定判定部と、前記グループ設定判定部で、当該発信元電話番号が前記グループに属すると判定した場合に、あて先内線番号の入力を許容することを知らせる内線接続許容信号を当該電話機に送信し、入力されたあて先内線番号を受信する内線番号接続部と、前記内線接続許容信号を送信した後、外線番号への発信であることを示す識別番号を受信し、あて先外線番号の入力を許容することを知らせる外線接続許容信号を当該電話機に送信し、入力されたあて先外線番号を受信する外線番号接続部と、前記グループ設定判定部で受信した発信元電話番号を発信元電話番号領域に設定し、前記内線番号接続部で受信した当該あて先内線番号または前記外線番号接続部で受信した当該識別番号及び当該あて先外線番号をあて先電話番号領域に設定した前記ＩＰネットワークの呼接続信号を生成し、前記呼制御サーバを介して前記アプリケーションサーバに送信する呼接続信号生成部と、を備えるＩＰ変換装置と、前記グループを識別するためのグループ識別情報ごとに、前記グループに属する電話番号及び前記電話番号の内線番号を記憶する第２の記憶部と、前記ＩＰ変換装置から受信した前記呼接続信号のあて先電話番号領域に前記識別番号が設定されているか否かを参照することで、当該呼接続信号のあて先電話番号領域に設定されているのが内線番号か外線番号かを判定する番号判定部と、当該呼接続信号のあて先電話番号領域に内線番号が設定されている場合に、当該呼接続信号に設定されている発信元電話番号をキーとして前記第２の記憶部から前記発信元電話番号の属するグループにおける、前記内線番号に対応する電話番号を検索し、前記検索された電話番号を当該呼接続信号のあて先電話番号領域に設定する内線番号変換部と、当該呼接続信号のあて先電話番号領域に外線番号が設定されている場合に、前記識別番号を外して、前記外線番号を当該呼接続信号のあて先電話番号領域に設定する外線番号変換部と、前記内線番号変換部または前記外線番号変換部で電話番号を設定した呼接続信号を、前記呼制御サーバを介して前記他の電話機に送信する呼接続信号制御部と、を備えるアプリケーションサーバと、パスワードの入力を促すガイダンスであるパスワード許容信号を送信する着側ガイダンス生成部を備える他のメディアサーバと、前記電話番号に応じてパスワードの入力を求めるか否かの情報である着側スクリーニング情報を記憶する第３の記憶部と、前記他のメディアサーバの前記ガイダンス生成部にパスワード��容信号の送信を指示する着側スクリーニング部と、を備える他のアプリケーションサーバと、を含んで構成され、前記着側スクリーニング部は、前記アプリケーションサーバから受信した前記呼接続信号に設定されるあて先電話番号をキーとして、当該第３の記憶部から前記着側スクリーニング情報を検索し、前記検索した着側スクリーニング情報に基づいてパスワードの入力を求めるか否かを判定し、パスワードの入力を求める場合に、前記他のメディアサーバの前記ガイダンス生成部にパスワード許容信号の送信を指示する、ことを特徴とする。
【００２５】
このようにすることで、ＩＰ変換装置は、内線番号の入力を許容することを知らせる内線接続許容信号を送信し、あて先内線番号を受信し、または外線番号の入力を許容することを知らせる外線接続許容信号を送信し、あて先外線番号を受信し、次に、受信したあて先内線番号またはあて先外線番号を設定したＩＰ網の呼接続信号を生成し、呼接続信号をアプリケーションサーバに送信し、アプリケーションサーバは、受信した呼接続信号のあて先内線番号とあて先外線番号を「０Ａ〜Ｊ」の電話番号に変換することができる。よって、本発明に係る電話回線接続システム及び電話回線接続方法によれば、ＩＰ網で内線接続及び一般電話網接続の両方を実現することができる。
また、このようにすることで、他のアプリケーションサーバは、発信元電話機を介して発信者にパスワードの入力を求めることができる。よって、本発明に係る電話回線接続システム及び電話回線接続方法によれば、電話回線の接続を利用者単位で許容することができる。
【００２６】
また、本発明に係る電話回線接続のプログラムは、前記した電話回線接続方法を前記ＩＰ変換装置、前記呼制御サーバ、前記アプリケーションサーバ、又は前記他のアプリケーションサーバに実行させることを特徴とする。
【００２７】
このようにすることで、本発明に係るプログラムによれば、ＩＰ網で内線接続及び一般電話網接続の両方を実現することができる。
【発明の効果】
【００２８】
本発明によれば、ＩＰ網で内線接続及び一般電話網接続の両方を実現することができる。
【図面の簡単な説明】
【００２９】
【図１】本発明の第１実施形態に係る電話回線接続システムの構成図である。
【図２】第１実施形態に係るＩＰ変換装置（発側）の機能構成図である。
【図３】第１実施形態に係るＩＰ変換装置（発側）の記憶部に記憶されるデータ構成図である。
【図４】第１実施形態に係るＩＰ変換装置（着側）の機能構成図である。
【図５】第１実施形態に係る（ａ）加入者サーバ（発側）（ｂ）加入者サーバ（着側）の機能構成図である。
【図６】第１実施形態に係る中継サーバの機能構成図である。
【図７】第１実施形態に係るアプリケーションサーバ（発側）の機能構成図である。
【図８】第１実施形態に係るアプリケーションサーバ（発側）の記憶部に記憶されるデータ構成図である。
【図９】第１実施形態に係るアプリケーションサーバ（着側）の機能構成図である。
【図１０】第１実施形態に係るアプリケーションサーバ（着側）の記憶部に記憶されるデータ構成図である。
【図１１】第１実施形態に係る（ａ）メディアサーバ（発側）（ｂ）メディアサーバ（着側）の機能構成図である。
【図１２】第１実施形態に係る電話回線接続システムの動作（内線番号への発信）の発側のシーケンス図である。
【図１３】第１実施形態に係る電話回線接続システムの動作（内線番号及び外線番号への発信）の着側のシーケンス図である。
【図１４】第１実施形態に係る電話回線接続システムの動作(外線番号への発信)の発側のシーケンス図である。
【図１５】本発明の第２実施形態に係る電話回線接続システムの構成図である。
【図１６】第２実施形態に係るＩＰ変換装置（発側）の機能構成図である。
【図１７】第２実施形態に係るＩＰ変換装置（発側）の記憶部に記憶されるデータ構成図である。
【図１８】第２実施形態に係るアプリケーションサーバ（発側）の機能構成図である。
【図１９】第２実施形態に係るアプリケーションサーバ（発側）の記憶部に記憶されるデータ構成図である。
【図２０】第２実施形態に係る電話回線接続システムの動作（無ダイヤル接続）の発側のシーケンス図である。
【図２１】第２実施形態に係る電話回線接続システムの動作（短縮ダイヤル接続）の発側のシーケンス図である。
【図２２】本発明の第３実施形態に係る電話回線接続システムの構成図である。
【図２３】第３実施形態に係るアプリケーションサーバ（発側）の機能構成図である。
【図２４】第３実施形態に係るアプリケーションサーバ（発側）の記憶部に記憶されるデータ構成図である。
【図２５】第３実施形態に係るアプリケーションサーバ（着側）の機能構成図である。
【図２６】第３実施形態に係るアプリケーションサーバ（着側）の記憶部に記憶されるデータ構成図である。
【図２７】第３実施形態に係る（ａ）メディアサーバ（発側）（ｂ）メディアサーバ（着側）の機能構成図である。
【図２８】本発明の第４実施形態に係る電話回線接続システムの構成図である。
【図２９】メンバーズネットサービスにおける電話回線の接続手順を示す図である。
【発明を実施するための形態】
【００３０】
＜＜第１実施形態に係る電話回線接続システムの構成＞＞
（概要）
図１は、本発明の第１実施形態に係る電話回線接続システム１の構成図である。電話回線接続システム１は、電話機２Ａ（発側），２Ｂ（着側）、ＩＰ変換装置３Ａ（発側），３Ｂ（着側）、加入者サーバ４Ａ（発側），４Ｂ（着側）、アプリケーションサーバ（ＡＳ）５Ａ（発側），５Ｂ（着側）、メディアサーバ（ＭＳ）６Ａ（発側），６Ｂ（着側）、中継サーバ７、電話網８Ａ，８Ｂ、ＩＰネットワーク９を備えて構成される。以下、電話回線接続システム１を構成する各装置について説明する。
【００３１】
（電話機）
端末としての電話機２Ａ（発側），２Ｂ（着側）（以下、まとめて「電話機２」と呼ぶときがある）は、例えば、一般家庭内または会社のオフィス内で使用される電話機である。電話機２は、アナログ回線で使用するアナログ電話機、またはＩＳＤＮ回線で使用するディジタル電話機のどちらであってもよい。
【００３２】
（ＩＰ変換装置）
ＩＰ変換装置３Ａ（発側），３Ｂ（着側）（以下、まとめて「ＩＰ変換装置３」と呼ぶときがある）は、アナログ回線で使用する信号、またはＩＳＤＮ（Integrated Services Digital Network）回線で使用する信号を、ＩＰプロトコル（Internet Protocol）に則した形式に変換する装置である。ＩＰ変換装置３は、例えば、ＣＰＵ、メモリ、周辺回路、ＨＤＤ等を備える。
【００３３】
（加入者サーバ、中継サーバ）
呼制御サーバとしての加入者サーバ４Ａ（発側），４Ｂ（着側）（以下、まとめて「加入者サーバ４」と呼ぶときがある）は、加入者系呼処理を行うサーバである。呼制御サーバとしての中継サーバ７は、中継呼処理を行うサーバである。
【００３４】
（アプリケーションサーバ、メディアサーバ）
アプリケーションサーバ（ＡＳ）５Ａ（発側），５Ｂ（着側）（以下、まとめて「ＡＳ５」と呼ぶときがある）は、電話回線の接続条件のチェック、番号の変換を行うサーバである。メディアサーバ（ＭＳ）６Ａ（発側），６Ｂ（着側）（以下、まとめて「ＭＳ６」と呼ぶときがある）は、電話回線の接続を許容できないことを伝えるガイダンス、パスワードの入力を促すガイダンスを送信するサーバである。
【００３５】
＜＜第１実施形態に係る電話回線接続システムの機能＞＞
図２〜図１１は、第１実施形態に係る電話回線接続システムを構成する各装置の機能構成図である。図２〜図１１では、各装置が備える機能を「○○部」と記載する。後記する図１６〜図１９、及び図２３〜図２７も同様である。各機能は、図示しないメモリにプログラムをロードし、図示しないＣＰＵを用いて実行することで実現される。以下、各装置の構成を具体的に説明する。なお、第１実施形態、及び後記する第２実施形態、第３実施形態、第４実施形態では、ＲＦＣ３２６１として標準化されているＳＩＰ(Session Initiation Protocol)を用いて呼制御が行われるものとする。
【００３６】
最初に、すべての装置が備える機能を説明する。図示しない通信部は、電話機２、ＩＰ変換装置３、加入者サーバ４、ＡＳ５、ＭＳ６、中継サーバ７の各装置が備え、データの送受信を行う。通信部は、各装置が備えるＬＡＮ用のアダプタ装置、ＩＳＤＮ通信回線用のＴＡ、またはモデム等（いずれも図示せず）を介してデータの送受信を行う。以下、他の「○○部」がデータを送信する、というような記載がある場合には、通信部を介してデータの送信が行われていることを意味する。
【００３７】
＜ＩＰ変換装置３Ａ（発側）が備える機能＞
図２は、第１実施形態に係るＩＰ変換装置３Ａ（発側）の機能構成図である。ＩＰ変換装置３Ａは、記憶部３１Ａと、接続部３２Ａと、呼接続信号生成部３３Ａとを備える。また、この接続部３２Ａは、グループ設定判定部３２１Ａと、内線番号接続部３２２Ａと、外線番号接続部３２３Ａとを含んで構成される。以下、ＩＰ変換装置３Ａ（発側）が備える各機能を説明する。
【００３８】
記憶部（第１の記憶部）３１Ａは、ＨＤＤ(Hard Disk Drive)等で構成される。図３は、記憶部３１Ａに記憶されるデータ構成図である。発信元電話番号３１１Ａには、グループに属する発信元である電話機の０Ａ〜Ｊの電話番号（以下、「発信元電話番号」と呼ぶときがある）が記憶される。以下、データ構成図の符号（例えば、図３の「３１１Ａ」）はデータが格納される論理的な領域を表し、図の説明をする際の括弧付きの符号（例えば、「発信元電話番号（３１１Ａ）」）は論理的な領域に格納されるデータ自体を表すものとする。
【００３９】
図２に示す、接続部３２Ａは、発信元の電話機２Ａの発信元電話番号、電話機２Ａにダイヤルされる先頭文字が「０」及び「１」を除く１〜１１桁のあて先内線番号（以下、単に「あて先内線番号」と呼ぶときがある）、または「０Ａ〜Ｊ」のあて先外線番号（以下、「あて先外線番号」と呼ぶときがある）を受信する。以下、接続部３２Ａが備える機能を説明する。
【００４０】
グループ設定判定部３２１Ａは、発信元の電話機２Ａがオフフックした際に、電話機２Ａの発信元電話番号を受信し、受信した発信元電話番号がグループに属するか否かを、記憶部３１Ａを検索して判定する。具体的には、グループ設定判定部３２１Ａは、受信した電話機２Ａの発信元電話番号が記憶部３１Ａの発信元電話番号（３１１Ａ）に記憶されている場合に、電話機２Ａがグループに属すると判定し、記憶されていない場合に、電話機２Ａがグループに属しないと判定する。
【００４１】
内線番号接続部３２２Ａは、グループ設定判定部３２１Ａで、電話機２Ａの発信元電話番号がグループに属すると判定された場合に、発信元の電話機２Ａにあて先内線番号の入力を許容する内線接続許容信号としてのＳＤＴ（Second Dial Tone）を送信し、電話機２Ａに入力されたあて先内線番号を受信する。なお、内線番号接続部３２２Ａは、入力されたあて先内線番号が、内線番号としての有効桁数以内であるかを確認するようにすることもできる。
【００４２】
外線番号接続部３２３Ａは、内線番号接続部３２２Ａが、発信元の電話機２Ａに内線接続許容信号としてのＳＤＴを送信した後、あて先の電話機２Ｂに対して、あて先外線番号での発信であることを示す識別番号（以下、単に「識別信号」と呼ぶときがある）としての「０（ゼロ）」を受信した場合、発信元の電話機２Ａに、あて先外線番号の入力を許容する外線接続許容信号としてのＤＴ（Dial Tone）を送信し、電話機２Ａに入力されたあて先外線番号を受信する。なお、外線番号接続部３２３Ａは、入力されたあて先外線番号が、「０Ａ〜Ｊ」の電話番号としての有効桁数以内であるかを確認するようにすることもできる。
【００４３】
呼接続信号生成部３３Ａは、呼接続信号としてのＩＮＶＩＴＥリクエストの発信元電話番号領域（Ｆｒｏｍヘッダ、Ｃｏｎｔａｃｔヘッダの他、ＩＮＶＩＴＥリクエスト中の領域であればよい）に、グループ設定判定部３２１Ａで受信した発信元電話番号を設定し、あて先電話番号領域（Ｔｏヘッダ、Ｒｅｑｕｅｓｔ−ＵＲＩヘッダの他、ＩＮＶＩＴＥリクエスト中の領域であればよい）に、内線番号接続部３２２Ａで受信したあて先内線番号、または外線番号接続部３２３Ａで受信した識別番号としての「０」及びあて先外線番号を設定し、設定した呼接続信号としてのＩＮＶＩＴＥリクエストを呼制御サーバとしての加入者サーバ４Ａ（発側）に送信する。
【００４４】
＜ＩＰ変換装置３Ｂ（着側）が備える機能＞
図４は、第１実施形態に係るＩＰ変換装置３Ｂ（着側）の機能構成図である。ＩＰ変換装置３Ｂは、呼制御部３３Ｂを備える。
呼制御部３３Ｂは、加入者サーバ４Ｂから呼接続信号としてのＩＮＶＩＴＥリクエストを受信すると、電話機２Ｂに対して着信接続を行う。
【００４５】
＜加入者サーバ４Ａ（発側）が備える機能＞
図５（ａ）は、第１実施形態に係る加入者サーバ４Ａ（発側）の機能構成図である。加入者サーバ４Ａは、呼制御部４１Ａを備える。また、この呼制御部４１Ａは、サービス判定部４１１Ａを含んで構成される。以下、加入者サーバ４Ａ（発側）が備える各機能を説明する。
【００４６】
呼制御部４１Ａは、呼接続信号としてのＩＮＶＩＴＥリクエストを受信すると、受信したＩＮＶＩＴＥリクエストを他の装置に転送することで、電話機２Ａと電話機２Ｂとの呼制御を行う。ＩＮＶＩＴＥリクエストの転送先は、後記するサービス判定部４１１Ａで決定される。
【００４７】
サービス判定部４１１Ａは、呼接続信号としてのＩＮＶＩＴＥリクエストの発信元電話番号がグループに属し、かつ、あて先電話番号領域に特殊な電話番号（例えば１１０番、１１９番等）以外が設定されている場合に、グループに属する電話番号特有の処理を行うために、ＩＮＶＩＴＥリクエストをＡＳ５Ａに転送すると決定し、それ以外の場合には、グループに属する電話番号特有の処理を行う必要がないために、ＩＮＶＩＴＥリクエストを中継サーバ７に転送すると決定する。
【００４８】
具体的には、図示しない記憶部にグループに属する発信元電話番号を記憶しておき、サービス判定部４１１Ａが、ＩＮＶＩＴＥリクエストに設定される発信元電話番号が図示しない記憶部に記憶されているか否かを検索する。発信元電話番号が記憶されている場合には、さらに、ＩＮＶＩＴＥリクエストのあて先電話番号領域に、特殊な電話番号が設定されているか否かを検索し、特殊な電話番号以外が設定されている場合にのみ、ＩＮＶＩＴＥリクエストをＡＳ５Ａに転送すると決定する。
【００４９】
＜加入者サーバ４Ｂ（着側）が備える機能＞
図５（ｂ）は、第１実施形態に係る加入者サーバ４Ｂ（着側）の機能構成図である。加入者サーバ４Ｂは、呼制御部４１Ｂを備える。また、この呼制御部４１Ｂは、サービス判定部４１１Ｂを含んで構成される。以下、加入者サーバ４Ｂ（着側）が備える各機能を説明する。
【００５０】
呼制御部４１Ｂは、呼接続信号としてのＩＮＶＩＴＥリクエストを受信すると、受信したＩＮＶＩＴＥリクエストを他の装置に転送することで、電話機２Ａと電話機２Ｂとの呼制御を行う。ＩＮＶＩＴＥリクエストの転送先は、後記するサービス判定部４１１Ｂで決定される。
【００５１】
サービス判定部４１１Ｂは、呼接続信号としてのＩＮＶＩＴＥリクエストの後記するあて先電話番号がグループに属する場合、グループに属する電話番号特有の処理を行うために、ＩＮＶＩＴＥリクエストをＡＳ５Ｂに転送すると決定し、後記するあて先電話番号がグループに属しない場合、グループに属する電話番号特有の処理を行う必要がないために、ＩＮＶＩＴＥリクエストをＩＰ変換装置３Ｂに転送すると決定する。
【００５２】
具体的には、図示しない記憶部にグループに属するあて先電話番号を記憶しておき、サービス判定部４１１Ｂが、ＩＮＶＩＴＥリクエストに設定される後記するあて先電話番号が図示しない記憶部に記憶されているか否かを検索することで、ＩＮＶＩＴＥリクエストに設定されるあて先電話番号がグループに属するか否かを判定することができる。
【００５３】
＜中継サーバ７が備える機能＞
図６は、第１実施形態に係る中継サーバ７の機能構成図である。中継サーバ７は、呼制御部７１を備える。
呼制御部７１は、加入者サーバ４Ａ（発側）から呼接続信号としてのＩＮＶＩＴＥリクエストを受信すると、受信したＩＮＶＩＴＥリクエストを加入者サーバ４Ｂ（着側）に転送することで、電話機２Ａと電話機２Ｂとの呼制御を行う。なお、電話機２Ａと電話機２Ｂとの呼制御において、図示しない複数の中継サーバを介す構成にしてもよいし、中継サーバ７を介さない構成にすることもできる。
【００５４】
＜アプリケーションサーバ５Ａ（発側）が備える機能＞
図７は、第１実施形態に係るアプリケーションサーバ５Ａ（発側）の機能構成図である。ＡＳ５Ａは、記憶部５１Ａと、番号変換部５２Ａと、呼制御部５４Ａとを備える。また、この番号変換部５２Ａは、番号判定部５２１Ａと、内線番号変換部５２２Ａと、外線番号変換部５２３Ａとを含んで構成される。さらに、ＡＳ５Ａは、発側接続条件ＣＨＫ部５３Ａを備えることができる。以下、ＡＳ５Ａ（発側）が備える各機能を説明する。
【００５５】
記憶部（第２の記憶部）５１Ａは、ＨＤＤ(Hard Disk Drive)等で構成される。図８は、記憶部５１Ａに記憶されるデータ構成図である。グループ番号５１１Ａには、グループを識別するためのグループ識別情報としてのグループ番号が記憶される。内線番号５１２Ａには、グループ内で識別可能な内線番号が記憶される。内線番号（５１２Ａ）は、同一グループでは番号が重複することを許さないが、他のグループでは番号が重複してもよい。電話番号５１３Ａには、「０Ａ〜Ｊ」の電話番号が記憶される。発側サービスクラス５１４Ａには、発信元電話番号を基にして、発信先を制限する発信先制限情報としての発側サービスクラスが記憶される。発側サービスクラス（５１４Ａ）が「１」の場合、発信先の制限がないことを意味し、「２」の場合、外線番号への発信時、ユーザ登録対地を制限することを意味し、「３」の場合、外線番号への発信時、市内接続のみ許容することを意味し、「４」の場合、内線番号への発信のみ許容することを意味する。なお、ここで説明した発信元を制限する発信元制限情報としての発側サービスクラス（５１４Ａ）は、一例をあげたにすぎず、これに限定されない。
【００５６】
図７に戻り、番号変換部５２Ａは、呼接続信号としてのＩＮＶＩＴＥリクエストに設定されている内線番号及び識別番号としての「０」付き外線番号を、「０Ａ〜Ｊ」の電話番号に変換する。以下、各機能を説明する。
【００５７】
番号判定部５２１Ａは、呼接続信号としてのＩＮＶＩＴＥリクエストのあて先電話番号領域に識別番号としての「０」が設定されているか否かを参照することで、ＩＮＶＩＴＥリクエストのあて先電話番号領域にあて先内線番号が設定されているのか（内線接続）、識別番号としての「０」付きのあて先外線番号が設定されているのか（外線接続）を判定する。
さらに、後記する内線番号変換部５２２Ａ又は外線番号変換部５２３Ａで、あて先電話番号領域の番号が変換されるために、あて先電話番号領域で内線接続か外線接続かを判断できなくなる。そのため、番号判定部５２１Ａは、呼接続信号としてのＩＮＶＩＴＥリクエストが内線接続なのか外線接続なのかを判断可能にするために、内線接続又は外線接続を示す独自ヘッダ（以下、「グループヘッダ」と呼ぶときがある）をＩＮＶＩＴＥリクエスト内に追加する。
【００５８】
内線番号変換部５２２Ａは、番号判定部５２１ＡでＩＮＶＩＴＥリクエストのあて先電話番号領域にあて先内線番号が設定されていると判定された場合、ＩＮＶＩＴＥリクエストの発信元電話番号領域に設定されている発信元電話番号をキーとして記憶部５１Ａから発信元電話番号の属するグループ（５１１Ａ）における、あて先内線番号に対応する電話番号（５１３Ａ）を検索し、検索した電話番号（以下、「あて先電話番号」と呼ぶときがある）をＩＮＶＩＴＥリクエストのあて先電話番号領域に設定する。ＩＮＶＩＴＥリクエストに設定されている発信元電話番号が「0112223331」で、あて先内線番号が「3000」である場合を想定し、図８を参照して説明すると、発信元電話番号のグループ番号は「001」であり、グループ番号「001」の中で、内線番号（５１２Ａ）が「3000」の電話番号（５１３Ａ）「0112223332」が検索される。
【００５９】
外線番号変換部５２３Ａは、番号判定部５２１ＡでＩＮＶＩＴＥリクエストのあて先電話番号領域に識別番号としての「０」付きのあて先外線番号が設定されていると判定された場合、識別番号としての「０」を外した、「０」無しのあて先外線番号（以下、「あて先電話番号」とよぶときがある）をＩＮＶＩＴＥリクエストのあて先電話番号領域に設定する。ＩＮＶＩＴＥリクエストのあて先電話番号領域に「0+0112223332」が設定されている場合を想定して説明すると、先頭の「0」を外した「0112223332」が新たに設定される。
【００６０】
発側接続条件ＣＨＫ部５３Ａは、ＩＮＶＩＴＥリクエストの発信元電話番号領域に設定されている発信元電話番号をキーとして、記憶部５１Ａの電話番号５１３Ａを検索し、検索された電話番号（５１３Ａ）に対応する発側サービスクラス（５１４Ａ）を取得し、発信先が、取得した発側サービスクラス（５１４Ａ）で許容された発信先であるか否かをチェック（ＣＨＫ）する。発側接続条件ＣＨＫ部５３Ａは、チェックがＯＫであれば、番号変換部５２Ａに番号の変換指示を行い、番号の変換後、後記する呼制御部５４Ａが呼接続信号としてのＩＮＶＩＴＥリクエストを加入者サーバ４Ａ（発側）に送信する。発側接続条件ＣＨＫ部５３Ａは、チェックがＮＧであれば、後記するＭＳ６Ａのガイダンス生成部６１Ａに、電話回線の接続を許容できないことを伝えるガイダンスを、電話機２Ａに向けて送信することを指示する。
【００６１】
呼制御部５４Ａは、番号変換部５２Ａで、あて先電話番号を設定した呼接続信号としてのＩＮＶＩＴＥリクエストを加入者サーバ４Ａ（発側）に送信する。
【００６２】
＜アプリケーションサーバ５Ｂ（着側）が備える機能＞
図９は、第１実施形態に係るアプリケーションサーバ５Ｂ（着側）の機能構成図である。ＡＳ５Ｂは、記憶部５１Ｂと、呼制御部５４Ｂとを備える。さらに、ＡＳ５Ｂは、着側接続条件ＣＨＫ部５３Ｂを備えることができる。以下、ＡＳ５Ｂ（着側）が備える各機能を説明する。
【００６３】
記憶部５１Ｂ（第３の記憶部）は、ＨＤＤ(Hard Disk Drive)等で構成される。ここで、図１０は、記憶部５１Ｂに記憶されるデータ構成図である。グループ番号５１１Ｂ、内線番号５１２Ｂ、及び電話番号５１３Ｂに記憶されるデータは、図８に示す、記憶部５１Ａのグループ番号５１１Ａ、内線番号５１２Ａ、及び電話番号５１３Ａに記憶されるデータと同様なので説明を省略する。着側サービスクラス５１４Ｂは、あて先電話番号を基にして、発信元を制限する発信元制限情報としての着側サービスクラスが記憶される。着側サービスクラス（５１４Ｂ）が「１」の場合、発信元の制限がないことを意味し、「２」の場合、内線番号からの発信のみ許容することを意味する。なお、ここで説明した発信元を制限する発信元制限情報としての着側サービスクラス（５１４Ｂ）は、一例をあげたにすぎず、これに限定されない。
【００６４】
着側接続条件ＣＨＫ部５３Ｂは、ＩＮＶＩＴＥリクエストのあて先電話番号領域に設定されているあて先電話番号をキーとして、記憶部５１Ｂの電話番号５１３Ｂを検索し、検索された電話番号（５１３Ｂ）に対応する着側サービスクラス（５１４Ｂ）を取得し、発信元が、取得した着側サービスクラス（５１４Ｂ）で許容された発信元であるか否かをチェックする。なお、内線番号又は外線番号のどちらからの発信であるかは、番号判定部５２１Ａで設定されるグループヘッダを検索することで判断が可能である。着側接続条件ＣＨＫ部５３Ｂは、チェック（ＣＨＫ）がＯＫであれば、後記する呼制御部５４ＢにＩＮＶＩＴＥリクエストの転送指示を行い、チェック（ＣＨＫ）がＮＧであれば、後記するＭＳ６Ｂのガイダンス生成部６１Ｂに、電話回線の接続を許容できないことを伝えるガイダンスを、電話機２Ａに向けて送信することを指示する。
【００６５】
呼制御部５４Ｂは、加入者サーバ４Ｂから受信した呼接続信号としてのＩＮＶＩＴＥリクエストを、加入者サーバ４Ｂに返送する。
【００６６】
＜メディアサーバ６Ａ（発側）が備える機能＞
図１１（ａ）は、第１実施形態に係るメディアサーバ（ＭＳ）６Ａ（発側）の機能構成図である。ＭＳ６Ａは、ガイダンス生成部６１Ａを備える。ガイダンス生成部６１Ａは、ＡＳ５Ａからのガイダンス送出指示に基づき、音声によるガイダンスを、ＩＰ変換装置３Ａを介して電話機２Ａに送信する。音声によるガイダンスは、電話回線の接続を許容できないことを伝えるもの、パスワードの入力を促すもの等がある。
【００６７】
＜メディアサーバ６Ｂ（着側）が備える機能＞
図１１（ｂ）は、第１実施形態に係るメディアサーバ（ＭＳ）６Ｂ（着側）の機能構成図である。ＭＳ６Ｂは、ガイダンス生成部６１Ｂを備える。ガイダンス生成部６１Ｂは、ＡＳ５Ｂからのガイダンス送出指示に基づき、音声によるガイダンスを、ＩＰ変換装置３Ａを介して電話機２Ａに送信する。音声によるガイダンスは、電話回線の接続を許容できないことを伝えるもの、パスワードの入力を促すもの等がある。
以上で、第１実施形態に係る電話回線接続システムの機能の説明を終了する。
【００６８】
＜＜第１実施形態に係る電話回線接続システムの動作＞＞
図１２は、第１実施形態に係る電話回線接続システムの動作（内線番号への発信）の発側のシーケンス図である。図１３は、第１実施形態に係る電話回線接続システムの動作（内線番号及び外線番号への発信）の着側のシーケンス図である。図１４は、第１実施形態に係る電話回線接続システムの動作(外線番号への発信)の発側のシーケンス図である。ここで、図１２〜図１４では、説明の便宜上、ＭＳ６及び中継サーバ７を省略して記載する。
【００６９】
以下、最初に図１２及び図１３を参照して、第１実施形態に係る電話回線接続システム１の動作（内線番号への発信）を説明する。次に、図１４を参照して、第１実施形態に係る電話回線接続システム１の動作（外線番号への発信）を説明する。
【００７０】
＜内線番号への発信＞
図１２に示すように電話機２Ａがオフフックされると（ステップＳ００１）、ＩＰ変換装置３Ａのグループ設定判定部３２１Ａがオフフックされたことを検出する。ＩＰ変換装置３Ａのグループ設定判定部３２１Ａは、記憶部３１Ａに記憶されるグループに属する発信元電話番号（３１１Ａ）を参照して、電話機２Ａの電話番号がグループに属しているか否かのグループ設定判定を行う（ステップＳ００２）。電話機２Ａの電話番号がグループに属している場合に、内線番号接続部３２２Ａは、電話機２Ａに内線番号の入力を許容することを知らせる内線接続許容信号としてのＳＤＴを送信する（ステップＳ００３）。
【００７１】
次に、電話機２Ａはあて先内線番号が入力されると、電話機２Ａは入力されたあて先内線番号を送信する（ステップＳ００４）。ＩＰ変換装置３Ａの内線番号接続部３２２Ａは、送信されたあて先内線番号を受信し、受信した内線番号の有効桁数を確認する（ステップＳ００５）。内線番号が有効桁数以内ならば、呼接続信号生成部３３Ａは、呼接続信号としてのＩＮＶＩＴＥリクエストの発信元電話番号領域に発信元電話番号を設定し、あて先電話番号領域にあて先内線番号を設定した呼接続信号を生成する（ステップＳ００６）。呼接続信号生成部３３Ａは、内線番号を設定したＩＮＶＩＴＥリクエストを加入者サーバ４Ａに送信する（ステップＳ００７）。
【００７２】
次に、加入者サーバ４Ａの呼制御部４１Ａが呼接続信号としてのＩＮＶＩＴＥリクエストを受信すると、サービス判定部４１１ＡがＩＮＶＩＴＥリクエストをＡＳ５Ａに転送すると決定し、呼制御部４１Ａはそれに従いＩＮＶＩＴＥリクエストをＡＳ５Ａに転送する（ステップＳ００８）。
【００７３】
次に、ＡＳ５Ａが呼接続信号としてのＩＮＶＩＴＥリクエストを受信すると、発側接続条件ＣＨＫ部５３Ａは、ＩＮＶＩＴＥリクエストの発信元電話番号領域に設定されている発信元電話番号をキーとして、記憶部５１Ａの発側サービスクラス（５１４Ａ）を取得して、発側接続条件をチェック（ＣＨＫ）する（ステップＳ００９）。
【００７４】
次に、ＡＳ５Ａの番号判定部５２１Ａが、ＩＮＶＩＴＥリクエストに設定されているのが内線番号であると判定し、ＩＮＶＩＴＥリクエストに内線接続を示すグループヘッダを追加する。さらに、内線番号変換部５２２Ａが、ＩＮＶＩＴＥリクエストの発信元電話番号領域に設定されている発信元電話番号をキーとして、記憶部５１Ａの０Ａ〜Ｊの電話番号（５１３Ａ）を取得して（内線番号の変換）、取得した０Ａ〜Ｊの電話番号（５１３Ａ）をＩＮＶＩＴＥリクエストのあて先電話番号領域に設定する（ステップＳ０１０）。ＡＳ５Ａの呼制御部５４Ａは、０Ａ〜Ｊの電話番号を設定した呼接続信号としてのＩＮＶＩＴＥリクエストを加入者サーバ４Ａに送信する（ステップＳ０１１）。
【００７５】
次に、加入者サーバ４Ａの呼制御部４１Ａが呼接続信号としてのＩＮＶＩＴＥリクエストを受信すると、サービス判定部４１１ＡがＩＮＶＩＴＥリクエストを加入者サーバ４Ｂに転送すると決定し、呼制御部４１Ａはそれに従いＩＮＶＩＴＥリクエストを加入者サーバ４Ｂに転送する（ステップＳ０１２）。
【００７６】
次に図１３を参照して着側の動作を説明する。加入者サーバ４Ｂの呼制御部４１Ｂが呼接続信号としてのＩＮＶＩＴＥリクエストを受信すると、サービス判定部４１１ＢがＩＮＶＩＴＥリクエストをＡＳ５Ｂに転送すると決定し、呼制御部４１Ｂはそれに従いＩＮＶＩＴＥリクエストをＡＳ５Ｂに転送する（ステップＳ０１３）。
【００７７】
次に、ＡＳ５Ｂが呼接続信号としてのＩＮＶＩＴＥリクエストを受信すると、着側接続条件ＣＨＫ部５３Ｂは、ＩＮＶＩＴＥリクエストのあて先電話番号領域に設定されているあて先電話番号をキーとして、記憶部５１Ｂの着側サービスクラス（５１４Ｂ）を取得して、着側接続条件をチェック（ＣＨＫ）する（ステップＳ０１４）。ＡＳ５Ｂの呼制御部５４Ｂは、呼接続信号としてのＩＮＶＩＴＥリクエストを加入者サーバ４Ｂに送信する（ステップＳ０１５）。
【００７８】
次に、加入者サーバ４Ｂの呼制御部４１Ｂが呼接続信号としてのＩＮＶＩＴＥリクエストを受信すると、サービス判定部４１１ＢがＩＮＶＩＴＥリクエストをＩＰ変換装置３Ｂに転送すると決定し、呼制御部４１Ｂはそれに従いＩＮＶＩＴＥリクエストをＩＰ変換装置３Ｂに転送する（ステップＳ０１６）。
【００７９】
次に、ＩＰ変換装置３Ｂの呼制御部３３Ｂは、加入者サーバ４Ｂから呼接続信号としてのＩＮＶＩＴＥリクエストを受信すると、電話機２Ｂに対して着信接続を行う（ステップＳ０１７）。以上で、第１実施形態に係る電話回線接続システムの動作（内線番号への発信）の説明を終了する。
【００８０】
次に、図１４を参照して、第１実施形態に係る電話回線接続システム１の動作（外線番号への発信）を説明する。説明は、第１実施形態に係る電話回線接続システムの動作（内線番号への発信）との相違する点のみ説明し、同一の動作については同一のステップ番号を付して、説明を省略する。
【００８１】
＜外線番号への発信＞
電話機２Ａは、あて先外線番号での発信であることを示す識別番号としての「０」が入力されると、入力された「０」を送信する（ステップＳ１０１）。次に、ＩＰ変換装置３Ａの外線番号接続部３２３Ａは、あて先外線番号での発信であることを示す識別番号としての「０」を受信すると、電話機２Ａに外線番号の入力を許容することを知らせる外線接続許容信号としてのＤＴを送信する（ステップＳ１０２）。次に、電話機２Ａは、あて先外線番号としての０Ａ〜Ｊの電話番号が入力されると、入力された０Ａ〜Ｊの電話番号を送信する（ステップＳ１０３）。
【００８２】
ＩＰ変換装置３Ａの外線番号接続部３２３Ａは、送信されたあて先外線番号としての０Ａ〜Ｊの電話番号を受信し、受信したあて先外線番号の有効桁数を確認する（ステップＳ１０４）。外線番号が有効桁数以内ならば、呼接続信号生成部３３Ａは、呼接続信号としてのＩＮＶＩＴＥリクエストの発信元電話番号領域に発信元電話番号を設定し、あて先電話番号領域に識別番号としての「０」及びあて先外線番号としての０Ａ〜Ｊの電話番号を設定した呼接続信号を生成する（ステップＳ１０５）。呼接続信号生成部３３Ａは、設定したＩＮＶＩＴＥリクエストを加入者サーバ４Ａに送信する（ステップＳ１０６）。
【００８３】
次に、加入者サーバ４Ａの呼制御部４１Ａが呼接続信号としてのＩＮＶＩＴＥリクエストを受信すると、サービス判定部４１１ＡがＩＮＶＩＴＥリクエストをＡＳ５Ａに転送すると決定し、呼制御部４１Ａはそれに従いＩＮＶＩＴＥリクエストをＡＳ５Ａに転送する（ステップＳ１０７）。
【００８４】
次に、ＡＳ５Ａが呼接続信号としてのＩＮＶＩＴＥリクエストを受信すると、発側接続条件ＣＨＫ部５３Ａは、ＩＮＶＩＴＥリクエストの発信元電話番号領域に設定されている発信元電話番号をキーとして、記憶部５１Ａの発側サービスクラス（５１４Ａ）を取得して、発側接続条件をチェック（ＣＨＫ）する（ステップＳ１０８）。
【００８５】
次に、ＡＳ５Ａの番号判定部５２１Ａが、ＩＮＶＩＴＥリクエストに設定されているのが外線番号であると判定し、ＩＮＶＩＴＥリクエストに外線接続を示すグループヘッダを追加する。さらに、外線番号変換部５２３Ａが、識別番号としての「０」を外し（外線番号の変換）、「０」無しのあて先外線番号をＩＮＶＩＴＥリクエストのあて先電話番号領域に設定する（ステップＳ１０９）。ＡＳ５Ａの呼制御部５４Ａは、設定した呼接続信号としてのＩＮＶＩＴＥリクエストを加入者サーバ４Ａに送信する（ステップＳ１１０）。その後は、第１実施形態に係る電話回線接続システムの動作（内線番号及び外線番号への発信）のステップＳ０１２〜ステップＳ０１７（図１３参照）と同様なので説明を省略する。
以上で、第１実施形態に係る電話回線接続システムの動作（外線番号への発信）の説明を終了する。
【００８６】
以上のように、第１実施形態に係る電話回線接続システム１及び電話回線接続方法は、内線番号の入力を許容することを知らせる内線接続許容信号を送信し、あて先内線番号を受信し、または外線番号の入力を許容することを知らせる外線接続許容信号を送信し、あて先外線番号を受信し、次に受信したあて先内線番号またはあて先外線番号を設定した呼接続信号を生成し、呼接続信号をアプリケーションサーバに送信することで、内線番号と識別番号付きの外線番号を「０Ａ〜Ｊ」の電話番号に変換することができる。よって、第１実施形態に係る電話回線接続システム１及び電話回線接続方法によれば、ＩＰ網で内線接続及び一般電話網接続の両方を実現することができる。
【００８７】
＜＜第２実施形態に係る電話回線接続システムの構成＞＞
（概要）
第１実施形態に係る電話回線接続システム１では、内線番号を入力することで電話回線を接続することが可能であった。第２実施形態に係る電話回線接続システムでは、内線番号よりも簡易な番号を入力し（以下「短縮ダイヤル」と呼ぶときがある）、または番号を何も入力しない（以下「無ダイヤル」と呼ぶときがある）で電話回線を接続することを可能にする。これにより、内線番号を入力するよりも、容易に電話回線を接続することができる。
【００８８】
図１５は、本発明の第２実施形態に係る電話回線接続システム１０１の構成図である。電話回線接続システム１０１は、電話機２Ａ（発側），２Ｂ（着側）、ＩＰ変換装置１１Ａ（発側），３Ｂ（着側）、加入者サーバ４Ａ（発側），４Ｂ（着側）、アプリケーションサーバ（ＡＳ）１２Ａ（発側），５Ｂ（着側）、メディアサーバ（ＭＳ）６Ａ（発側），６Ｂ（着側）、中継サーバ７、電話網８Ａ，８Ｂ、ＩＰネットワーク９を備えて構成される。第１実施形態に係る電話回線接続システム１と同じ装置については、同一符号を付す。
【００８９】
第１実施形態と第２実施形態との違いは、ＩＰ変換装置３Ａ（発側）がＩＰ変換装置１１Ａ（発側）に変更されているのと、アプリケーションサーバ（ＡＳ）５Ａ（発側）がアプリケーションサーバ（ＡＳ）１２Ａ（発側）に変更されている点である。
【００９０】
＜＜第２実施形態に係る電話回線接続システムの機能＞＞
図１６〜図１９は、第２実施形態に係る電話回線接続システム１０１を構成する装置で第１実施形態に係る電話回線接続システム１と変更された装置の機能構成図である。以下、各装置の構成を具体的に説明する。
【００９１】
＜ＩＰ変換装置１１Ａ（発側）が備える機能＞
図１６は、第２実施形態に係るＩＰ変換装置１１Ａ（発側）の機能構成図である。ＩＰ変換装置１１Ａは、記憶部１０３１Ａと、接続部３２Ａと、呼接続信号生成部３３Ａとを備える。また、この接続部３２Ａは、グループ設定判定部３２４Ａと、内線番号接続部３２２Ａと、外線番号接続部３２３Ａと、無ダイヤル接続部３２５Ａと、短縮ダイヤル接続部３２６Ａとを含んで構成される。以下、ＩＰ変換装置１１Ａ（発側）が備える各機能を説明する。
【００９２】
記憶部（第１の記憶部）１０３１Ａは、ＨＤＤ(Hard Disk Drive)等で構成される。図１７は、記憶部３１Ａに記憶されるデータ構成図である。発信元電話番号３１１Ａには、グループに属する発信元である電話機の０Ａ〜Ｊの電話番号（「発信元電話番号」）が記憶される。ダイヤルパス３１２Ａには、発信する際にダイヤル入力を行わない、または短縮ダイヤルの入力を行う情報であるダイヤルパスが記憶される。ダイヤルパス（３１２Ａ）が「０」の場合、無ダイヤルまたは短縮ダイヤルにより電話回線の接続を行う必要がないことを意味し、「１」（無ダイヤル接続情報）の場合、オフフックにより特定のあて先に電話回線をつなぐことを意味し（以下「無ダイヤル接続」と呼ぶときがある）、「２」（短縮ダイヤル接続情報）の場合、オフフック後に短縮ダイヤルとしての「＃」を入力することにより特定のあて先に電話回線をつなぐことを意味する（以下「短縮ダイヤル接続」と呼ぶときがある）。なお、以下、無ダイヤル接続と短縮ダイヤル接続を合わせてダイヤルパス接続と呼ぶ。また、ここで説明した短縮ダイヤルとしての「＃」は、一例をあげたにすぎず、これに限定されない。
【００９３】
図１６に示す、接続部３２Ａは、発信元の電話機２Ａの発信元電話番号、あて先内線番号、あて先外線番号、または「＃」を受信する。以下、接続部３２Ａが備える機能を説明する。
【００９４】
グループ設定判定部３２４Ａは、発信元の電話機２Ａがオフフックした際に、電話機２Ａの発信元電話番号を受信し、受信した発信元電話番号がグループに属するか否か、及び、ダイヤルパス接続を行う必要があるか否かを、記憶部１０３１Ａを検索して判定する。具体的には、グループ設定判定部３２４Ａは、受信した電話機２Ａの発信元電話番号が記憶部１０３１Ａの発信元電話番号（３１１Ａ）に記憶されている場合に、電話機２Ａがグループに属すると判定し、記憶されていない場合に、電話機２Ａがグループに属しないと判定する。さらに、グループ設定判定部３２４Ａは、ダイヤルパス（３１２Ａ）に「１」（無ダイヤル接続情報）が記憶されている場合に、無ダイヤル接続する必要があると判定し、「２」（短縮ダイヤル接続情報）が記憶されている場合に、短縮ダイヤル接続する必要があると判定し、「０」が記憶されている場合に、ダイヤルパス接続を行う必要がないと判定する。
【００９５】
内線番号接続部３２２Ａ、及び外線番号接続部３２３Ａは、第１実施形態と同様の機能を備えるので説明を省略する。
【００９６】
無ダイヤル接続部３２５Ａは、グループ設定判定部３２４Ａで、無ダイヤル接続をする必要があると判定された場合に、内線番号の入力を待たずに呼接続信号としてのＩＮＶＩＴＥリクエストを生成するように、呼接続信号生成部３３Ａに指示をする。
【００９７】
短縮ダイヤル接続部３２６Ａは、グループ設定判定部３２４Ａで、短縮ダイヤル接続をする必要があると判定された場合に、発信元の電話機２Ａに「＃」の入力を許容するダイヤル短縮ダイヤル接続許容信号としてのＳＤＴ（Second Dial Tone）を送信し、電話機２Ａに入力された「＃」を受信する。短縮ダイヤル接続部３２６Ａは、「＃」を受信すると呼接続信号としてのＩＮＶＩＴＥリクエストを生成するように、呼接続信号生成部３３Ａに指示をする。なお、短縮ダイヤル接続部３２６Ａは、正しく「＃」が入力されたことを確認するようにすることもできる。
【００９８】
呼接続信号生成部３３Ａは、第１実施形態で説明した機能に加えて、呼接続信号としてのＩＮＶＩＴＥリクエストの発信元電話番号領域に、グループ設定判定部３２１Ａで受信した発信元電話番号を設定し、無ダイヤル接続部３２５Ａから指示があった場合及び短縮ダイヤル接続部３２６Ａから指示があった場合に、ダイヤルパス接続を行うことを示す独自のヘッダ（以下「ダイヤルパスヘッダ」と呼ぶときがある）をＩＮＶＩＴＥリクエストに設定し、ダイヤルパスヘッダを設定した呼接続信号としてのＩＮＶＩＴＥリクエストを呼制御サーバとしての加入者サーバ４Ａ（発側）に送信する。なお、呼接続信号生成部３３Ａは、無ダイヤル接続部３２５Ａから指示があった場合に、無ダイヤル接続を行うことを示す独自のヘッダ（以下「無ダイヤルパスヘッダ」と呼ぶときがある）をＩＮＶＩＴＥリクエストに設定し、短縮ダイヤル接続部３２６Ａから指示があった場合に、短縮ダイヤル接続を行うことを示す独自のヘッダ（以下「短縮ダイヤルパスヘッダ」と呼ぶときがある）をＩＮＶＩＴＥリクエストに設定するようにしてもよい。
【００９９】
＜アプリケーションサーバ１２Ａ（発側）が備える機能＞
図１８は、第２実施形態に係るアプリケーションサーバ１２Ａ（発側）の機能構成図である。ＡＳ１２Ａは、記憶部１０５１Ａと、番号変換部５２Ａと、呼制御部５４Ａとを備える。また、この番号変換部５２Ａは、番号判定部５２４Ａと、内線番号変換部５２２Ａと、外線番号変換部５２３Ａと、ダイヤルパス変換部５２５Ａとを含んで構成される。さらに、ＡＳ５Ａは、発側接続条件ＣＨＫ部５３Ａを備えることができる。以下、ＡＳ１２Ａ（発側）が備える各機能を説明する。
【０１００】
記憶部（第２の記憶部）１０５１Ａは、ＨＤＤ(Hard Disk Drive)等で構成される。図１９は、記憶部５１Ａに記憶されるデータ構成図である。グループ番号５１１Ａ、内線番号５１２Ａ、電話番号５１３Ａ、発側サービスクラス５１４Ａには、第１実施形態と同じ情報が記憶されるので説明を省略する。ダイヤルパス５１５Ａには、記憶部３１Ａのダイヤルパス３１２Ａと同じ情報が記憶されるので説明を省略する。ダイヤルパスあて先電話番号５１６Ａには、ダイヤルパス５１５Ａに「１」（無ダイヤル接続情報）または「２」（短縮ダイヤル接続情報）が登録される場合に合わせて登録され、ダイヤルパス接続により電話回線を接続する特定のあて先の電話番号が記憶される。なお、ダイヤルパスあて先電話番号５１６Ａを、図示しない無ダイヤルパスあて先電話番号と、図示しない短縮ダイヤルパスあて先電話番号とに、データが格納される論理的な領域を分割した構成としてもよい。すなわち、ダイヤルパス５１５Ａに「１」が登録された場合に、図示しない無ダイヤルパスあて先電話番号に無ダイヤル接続による特定のあて先の電話番号が登録され、「２」が登録された場合に、図示しない短縮ダイヤルパスあて先電話番号に短縮ダイヤル接続による特定のあて先の電話番号が登録される構成としてもよい。
【０１０１】
番号変換部５２Ａは、呼接続信号としてのＩＮＶＩＴＥリクエストに、設定されている内線番号及び「０」付き外線番号を、「０Ａ〜Ｊ」の電話番号に変換する。さらに、ダイヤルパスヘッダが設定されている場合に、特定の電話番号を設定する。以下、各機能を説明する。
【０１０２】
番号判定部５２４Ａは、第１実施形態で説明した機能に加えて、ＩＮＶＩＴＥリクエストにダイヤルパスヘッダが設定されている場合に、ダイヤルパス接続であると判定する。番号判定部５２４Ａは、ダイヤルパス接続であると判定した場合に、内線接続を示すグループヘッダをＩＮＶＩＴＥリクエスト内に追加する。なお、番号判定部５２４Ａは、ＩＮＶＩＴＥリクエストに無ダイヤルパスヘッダが設定されている場合に、無ダイヤル接続であると判定し、ＩＮＶＩＴＥリクエストに短縮ダイヤルパスヘッダが設定されている場合に、短縮ダイヤル接続であると判定するようにしてもよい。また、番号判定部５２４Ａは、ＩＮＶＩＴＥリクエストの発信元電話番号領域に設定されている発信元電話番号をキーとして記憶部５１Ａのダイヤルパス５１５Ａに「１」（無ダイヤル接続情報）が設定されている場合に、無ダイヤル接続であると判定し、「２」（短縮ダイヤル接続情報）が設定されている場合に、短縮ダイヤル接続であると判定してもよい。
【０１０３】
内線番号変換部５２２Ａ、及び外線番号変換部５２３Ａは、第１実施形態と同様の機能を備えるので説明を省略する。
【０１０４】
ダイヤルパス変換部５２５Ａは、番号判定部５２４Ａでダイヤルパス接続であると判定された場合、ＩＮＶＩＴＥリクエストの発信元電話番号領域に設定されている発信元電話番号をキーとして記憶部５１Ａからダイヤルパスあて先電話番号（５１６Ａ）を検索し、検索したあて先電話番号をＩＮＶＩＴＥリクエストのあて先電話番号領域に設定する。ＩＮＶＩＴＥリクエストに設定されている発信元電話番号が「0112223331」である場合を想定し、図１９を参照して説明すると、ダイヤルパスあて先電話番号（５１６Ａ）「0998887771」が検索される。なお、ダイヤルパス変換部５２５Ａを、図示しない無ダイヤルパス変換部と、図示しない短縮ダイヤルパス変換部とに、機能を分割した構成としてもよい。すなわち、前記説明では、番号判定部５２４Ａでダイヤルパス接続であると判定された場合としたが、番号判定部５２４Ａで、無ダイヤル接続であると判定された場合に図示しない無ダイヤルパス変換部が処理を行い、短縮ダイヤル接続であると判定された場合に図示しない短縮ダイヤルパス変換部が処理を行う構成としてもよい。
【０１０５】
発側接続条件ＣＨＫ部５３Ａ、及び呼制御部５４Ａは、第１実施形態と同様の機能を備えるので説明を省略する。なお、発側接続条件ＣＨＫ部５３Ａによるチェックより先に番号判定部５２４Ａによる番号判定を行い、ダイヤルパス接続であると判定された場合に、発側接続条件ＣＨＫ部５３Ａによるチェックを行わないようにしてもよい。
【０１０６】
＜＜第２実施形態に係る電話回線接続システムの動作＞＞
図２０は、第２実施形態に係る電話回線接続システムの動作（無ダイヤル接続）の発側のシーケンス図である。図２１は、第２実施形態に係る電話回線接続システムの動作（短縮ダイヤル接続）の発側のシーケンス図である。ここで、図２０、図２１では、説明の便宜上、ＭＳ６及び中継サーバ７を省略して記載する。
【０１０７】
以下、最初に図２０を参照して、第２実施形態に係る電話回線接続システム１０１の動作（ダイヤルパス接続）を説明する。次に、図２１を参照して、第２実施形態に係る電話回線接続システム１０１の動作（ダイヤルパス＃接続）を説明する。なお、説明は、第１実施形態に係る電話回線接続システム１との相違する点のみ説明し、同一の動作については同一のステップ番号を付して説明は省略する。
【０１０８】
＜無ダイヤル接続＞
電話機２Ａがオフフックされると（ステップＳ００１）、ＩＰ変換装置１１Ａのグループ設定判定部３２４Ａがオフフックされたことを検出する。ＩＰ変換装置１１Ａのグループ設定判定部３２４Ａは、記憶部３１Ａに記憶されるダイヤルパス（３１２Ａ）を参照して、無ダイヤル接続をする必要があるか否かのダイヤルパス判定を行う（ステップＳ２０１）。
【０１０９】
無ダイヤル接続をする必要があると判定された場合に、無ダイヤル接続部３２５Ａは、内線番号の入力を待たずに呼接続信号としてのＩＮＶＩＴＥリクエストを生成するように、呼接続信号生成部３３Ａに生成指示をする（ステップＳ２０２）。生成指示を受けた呼接続信号生成部３３Ａは、呼接続信号としてのＩＮＶＩＴＥリクエストの発信元電話番号領域に発信元電話番号を設定し、ダイヤルパスヘッダをＩＮＶＩＴＥリクエストに設定した呼接続信号を生成する（ステップＳ２０３）。
【０１１０】
次に、呼接続信号生成部３３Ａは、ダイヤルパスヘッダを設定したＩＮＶＩＴＥリクエストを加入者サーバ４Ａに送信する（ステップＳ２０４）。加入者サーバ４Ａの呼制御部４１Ａが呼接続信号としてのＩＮＶＩＴＥリクエストを受信すると、サービス判定部４１１ＡがＩＮＶＩＴＥリクエストをＡＳ１２Ａに転送すると決定し、呼制御部４１Ａはそれに従いＩＮＶＩＴＥリクエストをＡＳ１２Ａに転送する（ステップＳ２０５）。
【０１１１】
次に、ＡＳ１２Ａが呼接続信号としてのＩＮＶＩＴＥリクエストを受信すると、発側接続条件ＣＨＫ部５３Ａは、ＩＮＶＩＴＥリクエストの発信元電話番号領域に設定されている発信元電話番号をキーとして、記憶部５１Ａの発側サービスクラス（５１４Ａ）を取得して、発側接続条件をチェック（ＣＨＫ）する（ステップＳ２０６）。
【０１１２】
次に、ＡＳ１２Ａの番号判定部５２４Ａが、ダイヤルパス接続であると判定し、ＩＮＶＩＴＥリクエストに内線番号を示すグループヘッダを追加する。さらに、ダイヤルパス変換部５２５Ａが、ＩＮＶＩＴＥリクエストの発信元電話番号領域に設定されている発信元電話番号をキーとして、記憶部５１Ａの０Ａ〜Ｊの電話番号（５１６Ａ）を取得して（ダイヤルパスあて先電話番号の取得）、取得した０Ａ〜Ｊの電話番号（５１６Ａ）をＩＮＶＩＴＥリクエストのあて先電話番号領域に設定する（ステップＳ２０７）。ＡＳ１２Ａの呼制御部５４Ａは、０Ａ〜Ｊの電話番号を設定した呼接続信号としてのＩＮＶＩＴＥリクエストを加入者サーバ４Ａに送信する（ステップＳ２０８）。その後は、第１実施形態に係る電話回線接続システムの動作（内線番号及び外線番号への発信）のステップＳ０１２〜ステップＳ０１７（図１３参照）と同様なので説明を終了する。
以上で、第２実施形態に係る電話回線接続システムの動作（無ダイヤル接続）の説明を終了する。
【０１１３】
次に、図２１を参照して、第２実施形態に係る電話回線接続システム１０１の動作（短縮ダイヤル接続）を説明する。なお、説明は、第２実施形態に係る電話回線接続システムの動作（無ダイヤル接続）と相違する点のみ説明し、同一の動作については同一のステップ番号を付して説明は省略する。
【０１１４】
＜短縮ダイヤル接続＞
電話機２Ａがオフフックされると（ステップＳ００１）、ＩＰ変換装置１１Ａのグループ設定判定部３２４Ａがオフフックされたことを検出する。ＩＰ変換装置１１Ａのグループ設定判定部３２４Ａは、記憶部３１Ａに記憶されるダイヤルパス３１２Ａを参照して、オフフック後に「＃」を入力することにより特定のあて先に電話回線を接続する必要があるか否かのダイヤルパス判定を行う（ステップＳ３０１）。
【０１１５】
オフフック後に「＃」を入力することにより特定のあて先に電話回線を接続する必要があると判定され場合に、短縮ダイヤル接続部３２６Ａは、電話機２Ａに「＃」の入力を許容することを知らせる短縮ダイヤル接続許容信号としてのＳＤＴを送信する（ステップＳ３０２）。電話機２Ａは「＃」が入力されると、電話機２Ａは入力された「＃」を送信する（ステップＳ３０３）。ＩＰ変換装置１１Ａの短縮ダイヤル接続部３２６Ａは、送信された「＃」を受信し、受信した「＃」を確認する（ステップＳ３０４）。
【０１１６】
次に、呼接続信号生成部３３Ａは、呼接続信号としてのＩＮＶＩＴＥリクエストの発信元電話番号領域に発信元電話番号を設定し、ダイヤルパスヘッダをＩＮＶＩＴＥリクエストに設定した呼接続信号を生成する（ステップＳ３０５）。その後は、第２実施形態に係る電話回線接続システムの動作（無ダイヤル接続）のステップＳ２０４〜ステップＳ２０８（図２０参照）と同様なので説明を終了する。
以上で、第２実施形態に係る電話回線接続システムの動作の説明を終了する。
【０１１７】
以上のように、第２実施形態に係る電話回線接続システム１０１及び電話回線接続方法は、内線番号よりも簡易な番号を入力し（短縮ダイヤル）、または番号を何も入力しない（無ダイヤル）で、ＩＰ網において電話回線を接続することができる。よって、第２実施形態に係る電話回線接続システム１０１及び電話回線接続方法によれば、内線番号を入力するよりも、容易にＩＰ網において電話回線を接続することができる。
【０１１８】
＜＜第３実施形態に係る電話回線接続システムの構成＞＞
（概要）
第１実施形態に係る電話回線接続システム１では、発側または着側のサービスクラスを設定することで、電話回線の接続を電話番号単位で許容することが可能であった。第３実施形態に係る電話回線接続システム１０２では、電話回線の接続を利用者単位で許容することを可能にする。これにより、特定の利用者に限定して電話回線を接続することができる。
【０１１９】
図２２は、本発明の第３実施形態に係る電話回線接続システム１０２の構成図である。電話回線接続システム１０２は、電話機２Ａ（発側），２Ｂ（着側）、ＩＰ変換装置３Ａ（発側），３Ｂ（着側）、加入者サーバ４Ａ（発側），４Ｂ（着側）、アプリケーションサーバ（ＡＳ）１３Ａ（発側），１３Ｂ（着側）、メディアサーバ（ＭＳ）１４Ａ（発側），１４Ｂ（着側）、中継サーバ７、電話網８Ａ，８Ｂ、ＩＰネットワーク９を備えて構成される。第１実施形態に係る電話回線接続システム１と同じ装置については、同一符号を付す。
【０１２０】
第１実施形態と第３実施形態との違いは、アプリケーションサーバ（ＡＳ）５がアプリケーションサーバ（ＡＳ）１３に変更されているのと、メディアサーバ（ＭＳ）６がメディアサーバ１４に変更されている点である。
【０１２１】
＜＜第３実施形態に係る電話回線接続システムの機能＞＞
図２３〜図２７は、第３実施形態に係る電話回線接続システム１０２を構成する装置で第１実施形態に係る電話回線接続システム１と変更された装置の機能構成図である。以下、各装置の構成を具体的に説明する。
【０１２２】
＜アプリケーションサーバ１３Ａ（発側）が備える機能＞
図２３は、第３実施形態に係るアプリケーションサーバ１３Ａ（発側）の機能構成図である。ＡＳ１３Ａは、記憶部２０５１Ａと、番号変換部５２Ａと、呼制御部５４Ａと、発側スクリーニング部５５Ａとを備える。また、この番号変換部５２Ａは、番号判定部５２１Ａと、内線番号変換部５２２Ａと、外線番号変換部５２３Ａとを含んで構成される。さらに、ＡＳ１３Ａは、発側接続条件ＣＨＫ部５３Ａを備えることができる。以下、ＡＳ１３Ａ（発側）が備える各機能を説明する。
【０１２３】
記憶部（第２の記憶部）２０５１Ａは、ＨＤＤ(Hard Disk Drive)等で構成される。図２４は、記憶部２０５１Ａに記憶されるデータ構成図である。グループ番号５１１Ａ、内線番号５１２Ａ、電話番号５１３Ａ、発側サービスクラス５１４Ａには、図８に示す記憶部５１Ａと同様の情報が記憶されるので説明を省略する。スクリーニング５１７Ａには、着側で内線接続及び外線接続またはいずれか一方に対して、発信者にパスワードの入力を求めるか否かの情報としてのスクリーニングが記憶される。スクリーニング（５１７Ａ）が「０」の場合、すべての接続にパスワードの入力を求めないことを意味し、「１」の場合、内線接続に対してパスワードの入力を求めることを意味し、「２」の場合、外線接続に対してパスワードの入力を求めることを意味し、「３」の場合、内線接続、外線接続の両方に対してパスワードの入力を求めることを意味する。パスワード５１８Ａには、スクリーニング５１７Ａに「１」、「２」または「３」が登録されたときに合わせて登録され、回線の接続を許容するためのパスワードが記憶される。
【０１２４】
番号変換部５２Ａ、番号判定部５２１Ａ、内線番号変換部５２２Ａ、外線番号変換部５２３Ａ、発側接続条件ＣＨＫ部５３Ａ、及び呼制御部５４Ａは、第１実施形態と同様の機能を備えるので説明を省略する。
【０１２５】
発側スクリーニング部５５Ａは、内線番号変換部５２２Ａで取得したあて先電話番号をキーとして、記憶部２０５１Ａの電話番号５１３Ａを検索し、検索された電話番号（５１３Ａ）に対応するスクリーニング（５１７Ａ）を取得し、内線接続に対してパスワードの入力を求められる場合（スクリーニング（５１７Ａ）が「１」または「３」の場合）に、後記するＭＳ１４Ａに、電話機２Ａに対してパスワードの入力を促すガイダンスの送出指示を行う。なお、内線番号又は外線番号のどちらへの発信であるかは、番号判定部５２１Ａで設定されるグループヘッダを検索することで判断が可能である。また、発側スクリーニング部５５Ａは、ＭＳ１４Ａからパスワードを受信し、記憶部２０５１Ａのパスワード５１８Ａを参照して認証を行う。
【０１２６】
＜アプリケーションサーバ１３Ｂ（着側）が備える機能＞
図２５は、第３実施形態に係るアプリケーションサーバ１３Ｂ（着側）の機能構成図である。ＡＳ１３Ｂは、記憶部２０５１Ｂと、呼制御部５４Ｂと、着側スクリーニング部５５Ｂとを備える。さらに、ＡＳ１３Ｂは、着側接続条件ＣＨＫ部５３Ｂを備えることができる。以下、ＡＳ１３Ｂ（着側）が備える各機能を説明する。
【０１２７】
記憶部（第３の記憶部）２０５１Ｂは、ＨＤＤ(Hard Disk Drive)等で構成される。ここで、図２６は、記憶部２０５１Ｂに記憶されるデータ構成図である。グループ番号５１１Ｂ、内線番号５１２Ｂ、電話番号５１３Ｂ、及び着側サービスクラス５１４Ｂに記憶されるデータは、第１実施形態の記憶部５１Ｂ（図１０参照）のグループ番号５１１Ｂ、内線番号５１２Ｂ、電話番号５１３Ｂ、及び着側サービスクラス５１４Ｂに記憶されるデータと同様なので説明を省略する。また、スクリーニング５１７Ｂ及びパスワード５１８Ｂは、第３実施形態の記憶部２０５１Ａ（図２４参照）のスクリーニング５１７Ａ及びパスワード５１８Ａに記憶されるデータと同様なので説明を省略する。
【０１２８】
着側接続条件ＣＨＫ部５３Ｂ、及び呼制御部５４Ｂは、第１実施形態と同様の機能を備えるので説明を省略する。
【０１２９】
着側スクリーニング部５５Ｂは、ＩＮＶＩＴＥリクエストのあて先電話番号領域に設定されているあて先電話番号をキーとして、記憶部２０５１Ｂの電話番号５１３Ｂを検索し、検索された電話番号（５１３Ｂ）に対応するスクリーニング（５１７Ｂ）を取得し、外線接続に対してパスワードの入力を求められる場合（スクリーニング（５１７Ｂ）が「２」または「３」の場合）に、後記するＭＳ１４Ｂに、電話機２Ａに対してパスワードの入力を促すガイダンスの送出指示を行う。なお、内線番号又は外線番号のどちらからの発信であるかは、番号判定部５２１Ａで設定されるグループヘッダを検索することで判断が可能である。また、着側スクリーニング部５５Ｂは、ＭＳ１４Ｂからパスワードを受信し、記憶部２０５１Ｂのパスワード５１８Ｂを参照して認証を行う。
【０１３０】
＜メディアサーバ１４Ａ（発側）が備える機能＞
図２７（ａ）は、第３実施形態に係るメディアサーバ１４Ａ（発側）の機能構成図である。ＭＳ１４Ａは、ガイダンス生成部６１Ａと、パスワード制御部６２Ａとを備える。ガイダンス生成部６１Ａは、第１実施形態と同様の機能を備えるので説明を省略する。パスワード制御部６２Ａは、ＩＰ変換装置３Ａからパスワードを受信し、受信したパスワードをＡＳ１３Ａに送信する。
【０１３１】
＜メディアサーバ１４Ｂ（着側）が備える機能＞
図２７（ｂ）は、第３実施形態に係るメディアサーバ１４Ｂ（着側）の機能構成図である。ＭＳ１４Ｂは、ガイダンス生成部６１Ｂと、パスワード制御部６２Ｂとを備える。ガイダンス生成部６１Ｂは、第１実施形態と同様の機能を備えるので説明を省略する。パスワード制御部６２Ｂは、ＩＰ変換装置３Ａからパスワードを受信し、受信したパスワードをＡＳ１３Ｂに送信する。
以上で、第３実施形態に係る電話回線接続システムの機能の説明を終了する。
【０１３２】
＜＜第３実施形態に係る電話回線接続システムの動作＞＞
図１２に示す、第１実施形態に係る電話回線接続システムの動作（内線番号への発信）の発側のシーケンス図、及び図１３に示す、第１実施形態に係る電話回線接続システムの動作（内線番号及び外線番号への発信）の着側のシーケンス図を用いて、第３実施形態に係る電話回線接続システム１０２の動作を説明する。
【０１３３】
＜発側スクリーニング＞
図１２に示すステップＳ０１０の後に、ＡＳ１３Ａ（図１２ではＡＳ５Ａ）の発側スクリーニング部５５Ａは、内線番号変換部５２２Ａで取得したあて先電話番号をキーとして、記憶部２０５１Ａの電話番号５１３Ａを検索し、検索された電話番号（５１３Ａ）に対応するスクリーニング（５１７Ａ）を取得し、内線接続に対してパスワードの入力を求められる場合（スクリーニング（５１７Ａ）が「１」または「３」の場合）に、図示しないＭＳ１４Ａに、電話機２Ａに対してパスワードの入力を促すガイダンスの送出指示を行う。また、発側スクリーニング部５５Ａは、図示しないＭＳ１４Ａからパスワードを受信し、記憶部２０５１Ａのパスワード５１８Ａを参照して認証を行う。次に、認証がＯＫであれば、ＡＳ１３Ａ（図１２ではＡＳ５Ａ）の呼制御部５４Ａは、０Ａ〜Ｊの電話番号を設定した呼接続信号としてのＩＮＶＩＴＥリクエストを加入者サーバ４Ａに送信する（ステップＳ０１１）。
【０１３４】
＜着側スクリーニング＞
図１３に示すステップＳ０１４の後に、ＡＳ１３Ｂ（図１３ではＡＳ５Ｂ）の着側スクリーニング部５５Ｂは、ＩＮＶＩＴＥリクエストのあて先電話番号領域に設定されているあて先電話番号をキーとして、記憶部２０５１Ｂの電話番号５１３Ｂを検索し、検索された電話番号（５１３Ｂ）に対応するスクリーニング（５１７Ｂ）を取得し、外線接続に対してパスワードの入力を求められる場合（スクリーニング（５１７Ｂ）が「２」または「３」の場合）に、図示しないＭＳ１４Ｂに、電話機２Ａに対してパスワードの入力を促すガイダンスの送出指示を行う。また、着側スクリーニング部５５Ｂは、ＭＳ１４Ｂからパスワードを受信し、記憶部２０５１Ｂのパスワード５１８Ｂを参照して認証を行う。次に、認証がＯＫであれば、ＡＳ１３Ｂ（図１３ではＡＳ５Ｂ）の呼制御部５４Ｂは、呼接続信号としてのＩＮＶＩＴＥリクエストを加入者サーバ４Ｂに送信する（ステップＳ０１５）。
以上で、第３実施形態に係る電話回線接続システムの動作の説明を終了する。
【０１３５】
以上のように、第３実施形態に係る電話回線接続システム１０２及び電話回線接続方法は、発信元電話機を介して発信者にパスワードの入力を求めることで、ＩＰ網において、電話回線の接続を利用者単位で許容することができる。よって、第３実施形態に係る電話回線接続システム１０２及び電話回線接続方法によれば、ＩＰ網において特定の利用者に限定して電話回線を接続することができる。
【０１３６】
＜＜第４実施形態に係る電話回線接続システムの構成＞＞
（概要）
第４実施形態に係る電話回線接続システムでは、ＩＰ網とＰＳＴＮ網とを介して電話回線を接続する場合に、ＰＳＴＮ−ＧＷでプロトコルの変換を行う。これにより、ＰＳＴＮ網を介しても電話回線を接続することができる。
【０１３７】
図２８は、本発明の第４実施形態に係る電話回線接続システム１０３の構成図である。電話回線接続システム１０３は、電話機２Ａ（発側），２Ｂ（着側）、ＩＰ変換装置３Ａ（発側）、加入者サーバ４Ａ（発側）、アプリケーションサーバ（ＡＳ）５Ａ（発側）、メディアサーバ（ＭＳ）６Ａ（発側）、中継サーバ７、ＰＳＴＮ−ＧＷ１５、ＩＧＳ１６（着側）、ＩＣ１７（着側）、ＧＣ１８（着側）、ＮＳＰ１９、電話網８Ａ，８Ｂ、ＩＰネットワーク９、ＰＳＴＮ網２０を備えて構成される。第１実施形態に係る電話回線接続システム１と同じ装置については、同一符号を付す。
【０１３８】
（ＰＳＴＮ−ＧＷ）
ＩＰ／ＰＳＴＮ接続装置としてのＰＳＴＮ−ＧＷ（ゲートウェイ）１５は、ＩＰネットワーク９と、ＰＳＴＮ(Public Switched Telephone Network)網２０という２つの異なるネットワークを接続する装置である。例えば、ＳＩＰプロトコルのＩＮＶＩＴＥリクエストを、既存電話プロトコルであるＩＳＵＰ(ISDN User Part)のＩＡＭ(Initial Address Message)に変換する。ＰＳＴＮ−ＧＷ１５は、ＳＩＰプロトコルとＩＳＵＰプロトコルを変換するときに、内線接続または外線接続の情報を相互に引き継ぐようにする。
【０１３９】
（ＩＧＳ、ＩＣ、ＧＣ、ＮＳＰ）
中継交換機としてのＩＧＳ１６及びＩＣ１７は、ＰＳＴＮ網２０の中継系呼処理を行う装置である。加入者系交換機としてのＧＣ１８は、ＰＳＴＮ網２０の加入者系呼処理を行う。ＮＳＰ１９は、電話回線の接続条件のチェック、電話回線の接続を許容できないことを伝えるガイダンス、パスワードの入力を促すガイダンスを送信する。また、ＮＳＰ１９は、ＡＳ５Ａが記憶する図８に示すグループ番号５１１Ａ、内線番号５１２Ａ、電話番号５１３Ａ等と同じ内容の情報を図示しない記憶部に記憶するようにする。
【０１４０】
＜＜第４実施形態に係る電話回線接続システムの動作＞＞
図２８に示す、本発明の第４実施形態に係る電話回線接続システムの構成図を用いて、第４実施形態に係る電話回線接続システムの動作について説明する。ＩＰネットワーク９にＩＰ変換装置３Ａを介して接続される電話機２Ａから、ＰＳＴＮ網２０にＧＣ１８を介して接続される電話機２Ｂに発信する場合、ＩＰ変換装置３Ａから送信される呼接続信号としてのＩＮＶＩＴＥリクエストは、第１実施形態で説明したように加入者サーバ４Ａ等を経由してＰＳＴＮ−ＧＷ１５に到達する。呼接続信号としてのＩＮＶＩＴＥリクエストを受信したＰＳＴＮ−ＧＷ１５は、ＳＩＰプロトコルのＩＮＶＩＴＥリクエストを既存電話プロトコルのＩＳＵＰのＩＡＭに変換し、ＩＧＳ１６を介してＰＳＴＮ網２０側に送信する。
【０１４１】
ＰＳＴＮ網２０にＧＣ１８を介して接続される電話機２ＢからＩＰネットワーク９にＩＰ変換装置３Ａを介して接続される電話機２Ａに発信する場合、ＧＣ１８から送信される呼接続信号としてのＩＡＭは、ＩＣ１７、ＩＧＳ１６等を経由してＰＳＴＮ−ＧＷ１５に到達する。呼接続信号としてのＩＮＶＩＴＥリクエストを受信したＰＳＴＮ−ＧＷ１５は、既存電話プロトコルのＩＳＵＰのＩＡＭをＳＩＰプロトコルのＩＮＶＩＴＥリクエストに変換し、中継サーバ７を介してＩＰネットワーク９側に送信する。その後は、第１実施形態で説明したように加入者サーバ４Ａ等を経由してＩＮＶＩＴＥリクエストがＩＰ変換装置３Ａに到達する。
【０１４２】
以上のように、第４実施形態に係る電話回線接続システム１０３及び電話回線接続方法は、ＩＰ網内のＩＰ変換装置を介して接続される電話機から、ＰＳＴＮ網にＧＣを介して接続される電話機に発信する場合、及びＰＳＴＮ網内のＧＣを介して接続される電話機からＩＰ網にＩＰ変換装置を介して接続される電話機２Ａに発信する場合に、ＰＳＴＮ−ＧＷでプロトコルの変換を行うことができる。よって、第４実施形態に係る電話回線接続システム１０３及び電話回線接続方法によれば、ＩＰ網とＰＳＴＮ網とを介しても、内線接続及び一般電話網接続の両方を実現することができる。
【符号の説明】
【０１４３】
１              電話回線接続システム
２，２Ａ，２Ｂ  電話機
３，３Ａ，３Ｂ  ＩＰ変換装置
４，４Ａ，４Ｂ  加入者サーバ（呼制御サーバ）
５，５Ａ，５Ｂ  アプリケーションサーバ（ＡＳ）
６，６Ａ，６Ｂ  メディアサーバ（ＭＳ）
７              中継サーバ
８，８Ａ，８Ｂ  電話網
９              ＩＰネットワーク（ＩＰ網）
３１Ａ，１０３１Ａ，            記憶部（第１の記憶部）
３２Ａ          接続部
３３Ａ          呼接続信号生成部
３２１Ａ        グループ設定判定部
３２２Ａ        内線番号接続部
３２３Ａ        外線番号接続部
３３Ｂ          呼制御部
４１Ａ，４１Ｂ  呼制御部
４１１Ａ，４１１Ｂ  サービス判定部
７１            呼制御部
５１Ａ，１０５１Ａ，２０５１Ａ  記憶部（第２の記憶部）
５１Ｂ，２０５１Ｂ              記憶部（第３の記憶部）
５２Ａ          番号変換部
５２１Ａ        番号判定部
５２２Ａ        内線番号変換部
５２３Ａ        外線番号変換部
５３Ａ，５３Ｂ  発側接続条件ＣＨＫ部
５４Ａ，５４Ｂ  呼制御部
６１Ａ，６１Ｂ  ガイダンス生成部
１０１          電話回線接続システム
１１Ａ          ＩＰ変換装置
１２Ａ          アプリケーションサーバ
３２４Ａ        グループ設定判定部
３２５Ａ        無ダイヤル接続部
３２６Ａ        短縮ダイヤル接続部
５２４Ａ        番号判定部
５２５Ａ        ダイヤルパス変換部（無ダイヤルパス変換部、短縮ダイヤルパス変換部）
１０２          電話回線接続システム
１３Ａ，１３Ｂ  アプリケーションサーバ
１４Ａ，１４Ｂ  メディアサーバ
５５Ａ          発側スクリーニング部
５５Ｂ          着側スクリーニング部
６２Ａ，６２Ｂ  パスワード制御部
１０３          電話回線接続システム
１５            ＰＳＴＮ−ＧＷ
１６            ＩＧＳ
１７            ＩＣ
１８            ＧＣ
１９            ＮＳＰ
２０            ＰＳＴＮ網
【図１】
0005427618.tif 000002
【図２】
0005427618.tif 000003
【図３】
0005427618.tif 000004
【図４】
0005427618.tif 000005
【図５】
0005427618.tif 000006
【図６】
0005427618.tif 000007
【図７】
0005427618.tif 000008
【図８】
0005427618.tif 000009
【図９】
0005427618.tif 000010
【図１０】
0005427618.tif 000011
【図１１】
0005427618.tif 000012
【図１２】
0005427618.tif 000013
【図１３】
0005427618.tif 000014
【図１４】
0005427618.tif 000015
【図１５】
0005427618.tif 000016
【図１６】
0005427618.tif 000017
【図１７】
0005427618.tif 000018
【図１８】
0005427618.tif 000019
【図１９】
0005427618.tif 000020
【図２０】
0005427618.tif 000021
【図２１】
0005427618.tif 000022
【図２２】
0005427618.tif 000023
【図２３】
0005427618.tif 000024
【図２４】
0005427618.tif 000025
【図２５】
0005427618.tif 000026
【図２６】
0005427618.tif 000027
【図２７】
0005427618.tif 000028
【図２８】
0005427618.tif 000029
【図２９】
0005427618.tif 000030